(57)【要約】【課題】様々な機能をより簡単に制御するために、タッチ座標及びタッチ圧力を検知するタッチディスプレイ部を備えた移動端末機を提供する。【解決手段】本発明の移動端末機１００は、無線通信を提供する無線通信部１１０と、端末機の外観を形成する本体と、本体上に形成されたタッチディスプレイ部５１０とを含み、タッチディスプレイ部は、画面情報を表示するディスプレイパネル５１１と、ディスプレイパネル上に形成されたウィンドウ５１３と、ウィンドウの下方に配置され、ウィンドウ上のタッチ入力のタッチ座標を検知する第１検知部（第１検知層５１４ａ）及び第２検知部（第２検知層５１４ｂ）と、タッチ入力われたウィンドウの少なくとも一領域が変形する変形領域５１２と、変形領域を介して第１検知部から離隔した第３検知部（第３検知層５１４ｃ）と、第１乃至第３検知部により検知されたタッチ入力に基づいて特定の制御命令を生成する制御部とを含む。【選択図】図３Ａ
2015204098.tif 000002
【特許請求の範囲】
【請求項１】
無線通信を提供するように構成された無線通信部と、
端末機の外観を形成するように構成された本体と、
前記本体上に形成されたタッチディスプレイ部とを含み、
前記タッチディスプレイ部は、
画面情報を表示するように構成されたディスプレイパネルと、
前記ディスプレイパネル上に形成されたウィンドウと、
前記ウィンドウの下方に配置され、前記ウィンドウ上のタッチ入力のタッチ座標を検知するように構成された第１検知部及び第２検知部と、
前記タッチ入力が行われた前記ウィンドウの少なくとも一領域が変形するように構成された変形領域と、
前記変形領域を介して前記第１検知部から離隔した第３検知部と、
前記第１乃至第３検知部により検知されたタッチ入力に基づいて特定の制御命令を生成するように構成された制御部とを含むことを特徴とする移動端末機。
【請求項２】
前記制御部は、前記ウィンドウの少なくとも一領域の変形に応じた前記第１検知部と前記第３検知部間の間隔の変化による前記第１検知部の静電容量の変化を前記タッチ入力のタッチ圧力と定義し、前記タッチ座標と前記タッチ圧力の少なくとも一方に基づいて前記特定の制御命令を生成するように構成されることを特徴とする請求項１に記載の移動端末機。
【請求項３】
前記変形領域は、前記ウィンドウに加わる外力により変形する気体、流体及びゲルタイプの固体を含むことを特徴とする請求項２に記載の移動端末機。
【請求項４】
前記第２検知部及び前記第３検知部は、電流が入力される入力端に対応し、前記第１検知部は、前記第２検知部と前記第３検知部の少なくとも一方からの電流を出力する出力端に対応することを特徴とする請求項２に記載の移動端末機。
【請求項５】
前記タッチディスプレイ部は、前記ウィンドウに加わる外力が大きくなると、前記第３検知部から前記第１検知部に出力される電流の量の増加により前記タッチ圧力の変化を検知するように構成されることを特徴とする請求項４に記載の移動端末機。
【請求項６】
前記第３検知部は、前記ウィンドウの内面に蒸着される導電性材料を含むことを特徴とする請求項４に記載の移動端末機。
【請求項７】
前記ディスプレイパネルは、ＴＦＴ層、カラーフィルタ層及び偏光層を含み、
前記第１検知部及び前記第２検知部は、前記ＴＦＴ層、前記カラーフィルタ層及び前記偏光層のいずれかに蒸着される導電性材料を含むことを特徴とする請求項４に記載の移動端末機。
【請求項８】
前記制御部は、前記第１検知部が活性化されている間、前記第２検知部と前記第３検知部とを交互に活性化するように構成されることを特徴とする請求項４に記載の移動端末機。
【請求項９】
前記第２検知部及び前記第３検知部は、複数の検知ラインを含み、
前記制御部は、前記複数の検知ラインにチャネル信号を送信するように構成されることを特徴とする請求項８に記載の移動端末機。
【請求項１０】
前記制御部は、前記タッチ座標に対応する補償値を選択し、前記タッチ圧力に前記補償値を加算して補償圧力を算出するように構成され、
前記補償値は、前記タッチ座標が前記タッチディスプレイパネルの中央部から縁部へ行くほど大きくなることを特徴とする請求項９に記載の移動端末機。
【請求項１１】
前記制御部は、前記第２検知部又は前記第３検知部が活性化されていない場合、前記ディスプレイ部から出力されるノイズ電流を接地するように前記第２検知部又は前記第３検知部を制御するように構成されることを特徴とする請求項８に記載の移動端末機。
【請求項１２】
前記本体に取り付けられ、外部と前記変形領域とを接続する貫通孔を備えて前記変形領域が変形するとき空気が移動するように形成されるチャネルフィルムをさらに含むことを特徴とする請求項１に記載の移動端末機。
【請求項１３】
前記チャネルフィルムを覆うように前記本体に取り付けられ、汚染物質の流入を遮断する多孔性パッドをさらに含むことを特徴とする請求項１２に記載の移動端末機。
【請求項１４】
前記ディスプレイパネルは、ＬＣＤパネル又はＯＬＥＤパネルを含むことを特徴とする請求項２に記載の移動端末機。
【請求項１５】
前記タッチディスプレイ部は、前記ディスプレイパネル、前記変形領域及び前記ウィンドウが一体に形成されるフレキシブルディスプレイパネルからなることを特徴とする請求項２に記載の移動端末機。
【請求項１６】
前記制御部は、前記タッチディスプレイ部に出力される前記画面情報へのタッチ入力により、前記タッチ座標に基づいてコンテンツを選択し、前記タッチ圧力に基づいて前記コンテンツの機能を実行するように構成されることを特徴とする請求項２に記載の移動端末機。
【請求項１７】
前記制御部は、異なるタッチ圧力に対して異なる機能を実行するように構成されることを特徴とする請求項１６に記載の移動端末機。
【請求項１８】
前記制御部は、前記タッチディスプレイ部へのタッチ入力のタッチ圧力が検知されない場合、前記コンテンツの機能を実行し、前記タッチ圧力が検知された場合、他の機能を実行するように構成されることを特徴とする請求項１６に記載の移動端末機。
【請求項１９】
前記タッチ圧力が検知されると前記コンテンツを保存するように構成されたメモリをさらに含むことを特徴とする請求項１６に記載の移動端末機。
【請求項２０】
前記制御部は、
前記ディスプレイ部に時間順に配列される画像フレームを含む動画像を出力し、
連続的なタッチ入力によるタッチ座標に対応するフレーム画像を出力し、
前記タッチ入力がタッチ圧力を含む場合、前記タッチ圧力に基づく補正割合が適用された補正座標に対応するフレーム画像を出力するように構成されることを特徴とする請求項１６に記載の移動端末機。
【発明の詳細な説明】
【技術分野】
【０００１】
本発明は、移動端末機、及びディスプレイ部へのタッチ入力に基づいて前記移動端末機を制御する方法に関する。
【背景技術】
【０００２】
端末機は、移動端末機（mobile/portable terminal）と固定端末機（stationary terminal）に分けられる。さらに、移動端末機は、携帯（型）端末機（handheld terminal）と車載端末機（vehicle mount terminal）に分けられる。
【０００３】
移動端末機は、写真や動画像の撮影、音楽や動画像ファイルの再生、ゲーム、放送受信などの複雑な機能を備えたマルチメディア機器の形で実現されている。
【０００４】
さらに、移動端末機は、ユーザがディスプレイ部をタッチして情報を入力できるようにしたタッチスクリーンのディスプレイ部を含む。
【発明の概要】
【発明が解決しようとする課題】
【０００５】
しかし、従来のタッチ入力方法は、事実上制限されており、ユーザにとって不便なことが多い。
【０００６】
そこで、本発明は、様々な機能をより簡単に制御するために、タッチ座標及びタッチ圧力を検知するタッチディスプレイ部を提供することを目的とする。
【課題を解決するための手段】
【０００７】
これら及び他の利点を実現して上記の目的を達成するために、本明細書に具体化されかつ広く記載されているように、一態様によれば、本発明は、無線通信を提供するように構成された無線通信部と、端末機の外観を形成するように構成された本体と、前記本体上に形成されたタッチディスプレイ部とを含み、前記タッチディスプレイ部は、画面情報を表示するように構成されたディスプレイパネルと、前記ディスプレイパネル上に形成されたウィンドウと、前記ウィンドウの下方に配置され、前記ウィンドウ上のタッチ入力のタッチ座標を検知するように構成された第１検知部及び第２検知部と、前記タッチ入力が行われた前記ウィンドウの少なくとも一領域が変形するように構成された変形領域と、前記変形領域を介して前記第１検知部から離隔した第３検知部と、前記第１乃至第３検知部により検知されたタッチ入力に基づいて特定の制御命令を生成するように構成された制御部とを含む、移動端末機を提供する。
【０００８】
他の態様によれば、前記タッチディスプレイ部は、電流が入力される第２検知部と、前記第２検知部からの電流を出力してタッチ入力による電流変化に応じたタッチ座標を検知する第１検知部と、前記変形領域を介して前記第１検知部から離隔して配置され、前記変形領域の厚さが変化すると前記第１検知部に電流が移動することによりタッチ圧力を検知する第３検知部とを含む。
【０００９】
前記第２検知部及び前記第３検知部は、電流が入力される入力端として作用し、前記第１検知部は、前記変形領域の厚さが薄くなると前記第３検知部から電流を出力するための出力端として選択的に作用する。つまり、前記第１検知部を出力端として共有することにより、タッチ座標とタッチ圧力を検知することができる。
【００１０】
さらに他の態様によれば、前記タッチディスプレイ部の出力端を備え、外力により変形する変形領域によりタッチ圧力を検知するための入力端をさらに備えることにより、タッチ座標とタッチ圧力を共に検知することができる。
【００１１】
本発明のさらなる適用範囲は以下の発明の詳細な説明から明確になるであろう。しかし、本発明の属する技術の分野における通常の知識を有する者であれば、以下の発明の詳細な説明から本発明の思想及び範囲内での様々な変更や改良が可能であるので、本発明の好ましい実施形態の詳細な説明及び特定例は単なる例示に過ぎないことを理解するであろう。
【発明の効果】
【００１２】
本発明によれば、タッチ検知部の出力端を備え、外力により変形する変形領域によりタッチ圧力を検知するための入力端をさらに備えることにより、タッチ座標とタッチ圧力を共に検知することができる。
【００１３】
従って、タッチ座標とタッチ圧力の組み合わせを用いてより多様な制御命令を生成することができるので、ユーザはより簡単な方法で多様な機能を制御することができる。
【図面の簡単な説明】
【００１４】
【図１Ａ】本発明の実施形態による移動端末機を示すブロック図である。
【図１Ｂ】本発明の実施形態による移動端末機の一例を前方から見た概念図である。
【図１Ｃ】本発明の実施形態による移動端末機の一例を後方から見た概念図である。
【図１Ｄ】図１Ｂの移動端末機の分解図である。
【図２】一実施形態によるタッチ入力のタッチ座標及びタッチ圧力を検知するタッチ検知部を示す概念図である。
【図３Ａ】一実施形態によるタッチディスプレイ部の構造を説明するための図１ＤのＡ−Ａ線断面図である。
【図３Ｂ】一実施形態によるタッチディスプレイ部の構造を説明するための図１ＤのＡ−Ａ線断面図である。
【図４】一実施形態により交互に活性化する検知層の駆動方法を示すグラフである。
【図５Ａ】タッチ入力が行われた領域に基づくタッチ圧力の補正方法を示す概念図である。
【図５Ｂ】タッチ入力が行われた領域に基づくタッチ圧力の補正方法を示すフローチャートである。
【図６Ａ】他の実施形態による液晶ディスプレイパネルに形成されたタッチ検知部を含むタッチディスプレイ部の構造を説明するための図１ＤのＡ−Ａ線断面図である。
【図６Ｂ】他の実施形態による液晶ディスプレイパネルに形成されたタッチ検知部を含むタッチディスプレイ部の構造を説明するための図１ＤのＡ−Ａ線断面図である。
【図７】さらに他の実施形態によるタッチディスプレイ部の構造を示す概念図である。
【図８Ａ】ディスプレイパネルにタッチ検知ラインが形成されたタッチディスプレイ部の構造を示す概念図である。
【図８Ｂ】ディスプレイパネルにタッチ検知ラインが形成されたタッチディスプレイ部の構造を示す概念図である。
【図９Ａ】ディスプレイパネルに形成されたタッチ検知部を含むタッチディスプレイ部を示す概念図である。
【図９Ｂ】ディスプレイパネルに形成されたタッチ検知部を含むタッチディスプレイ部を示す概念図である。
【図１０Ａ】ＯＬＥＤパネルを含むタッチディスプレイ部を説明するための図１ＤのＡ−Ａ線断面図である。
【図１０Ｂ】ＯＬＥＤパネルを含むタッチディスプレイ部を説明するための図１ＤのＡ−Ａ線断面図である。
【図１１】タッチ座標及びタッチ圧力を検知して制御命令を生成する制御方法を示す概念図である。
【図１２Ａ】変形領域の空気が流出入する貫通孔を示す分解図である。
【図１２Ｂ】図１２Ａの貫通孔を示す断面図である。
【図１３Ａ】本発明の一実施形態による移動端末機の制御方法を説明するためのフローチャートである。
【図１３Ｂ】タッチ座標及びタッチ圧力に基づく移動端末機の制御方法を示す概念図である。
【図１３Ｃ】タッチ座標及びタッチ圧力に基づく移動端末機の制御方法を示す概念図である。
【図１３Ｄ】タッチ座標及びタッチ圧力に基づく移動端末機の制御方法を示す概念図である。
【図１３Ｅ】タッチ座標及びタッチ圧力に基づく移動端末機の制御方法を示す概念図である。
【図１３Ｆ】タッチ座標及びタッチ圧力に基づく移動端末機の制御方法を示す概念図である。
【図１４Ａ】タッチ圧力が異なる複数のタッチ入力を用いた移動端末機の制御方法を示すフローチャートである。
【図１４Ｂ】複数のタッチ入力に基づく移動端末機の制御方法を示す概念図である。
【図１４Ｃ】複数のタッチ入力に基づく移動端末機の制御方法を示す概念図である。
【図１４Ｄ】複数のタッチ入力に基づく移動端末機の制御方法を示す概念図である。
【図１４Ｅ】複数のタッチ入力に基づく移動端末機の制御方法を示す概念図である。
【図１４Ｆ】複数のタッチ入力に基づく移動端末機の制御方法を示す概念図である。
【図１４Ｇ】複数のタッチ入力に基づく移動端末機の制御方法を示す概念図である。
【図１５】タッチ圧力に基づいて所定の機能を実行させる制御方法の一例を示す概念図である。
【図１６Ａ】タッチ圧力に基づいて所定の機能を実行させる制御方法の他の例を示す概念図である。
【図１６Ｂ】タッチ圧力に基づいて所定の機能を実行させる制御方法のさらに他の例を示す概念図である。
【図１６Ｃ】タッチ圧力に基づいて所定の機能を実行させる制御方法のさらに他の例を示す概念図である。
【図１７】タッチ座標の検知及びタッチ圧力の検知による制御方法を示す概念図である。
【図１８Ａ】タッチ検知部によるタッチ座標の検知が制限された場合の制御方法を示すフローチャートである。
【図１８Ｂ】タッチ検知部によるタッチ座標の検知が制限された場合の制御方法を示す概念図である。
【図１８Ｃ】タッチ検知部によるタッチ座標の検知が制限された場合の制御方法を示す概念図である。
【発明を実施するための形態】
【００１５】
以下、添付図面を参照して本発明の実施形態を詳細に説明するが、図面番号に関係なく同一又は類似の構成要素には同一の符号を付して重複する説明は省略する。以下の説明で用いられる構成要素の接尾辞である「モジュール」及び「部」は、明細書の作成を容易にするために付与又は混用されるものであり、それ自体が有意性や有用性を有するものではない。なお、添付図面は本発明の実施形態を容易に理解できるようにするためのものにすぎず、添付図面により本発明の技術的思想が制限されるように解釈されてはならないことに留意すべきである。
【００１６】
第１、第２などのように序数を含む用語は様々な構成要素を説明するために使用されるが、前記構成要素は前記用語により限定されるものではない。前記用語は１つの構成要素を他の構成要素と区別する目的でのみ使用される。
【００１７】
また、ある構成要素が他の構成要素に「連結」又は「接続」されていると言及された場合は、前記他の構成要素に直接的に連結又は接続されていることもあり、中間にさらに他の構成要素が存在することもある。それに対して、ある構成要素が他の構成要素に「直接連結」又は「直接接続」されていると言及された場合は、中間にさらに他の構成要素が存在しないと理解すべきである。
【００１８】
本明細書で説明される移動端末機には、携帯電話、スマートフォン、ノートパソコン、デジタル放送端末機、携帯情報端末（Personal Digital Assistants; PDA）、ポータブルマルチメディアプレーヤ（Portable Multimedia Player; PMP）、ナビゲーション、スレートＰＣ、タブレットＰＣ、ウルトラブック、ウェアラブルデバイス（例えば、スマートウォッチ、スマートグラス、ヘッドマウントディスプレイ（Head Mounted Display; HMD））などが含まれる。
【００１９】
しかし、本明細書に開示される実施形態による構成は、移動端末機にのみ適用可能な場合を除き、デジタルテレビ、デスクトップコンピュータ、デジタルサイネージなどの固定端末機にも適用することができる。
【００２０】
図１Ａは本発明の実施形態による移動端末機を示すブロック図であり、図１Ｂ及び図１Ｃは本発明の実施形態による移動端末機の一例を異なる方向から見た概念図であり、図１Ｄは図１Ｂの移動端末機の分解図である。
【００２１】
同図に示すように、移動端末機１００は、無線通信部１１０、入力部１２０、感知部１４０、出力部１５０、インタフェース部１６０、メモリ１７０、制御部１８０、電源供給部１９０などを含む。図１Ａに示す全ての構成要素が必須構成要素であるわけではなく、本発明による移動端末機は、図示の構成要素よりも多い構成要素で実現してもよく、それより少ない構成要素で実現してもよい。
【００２２】
より具体的には、無線通信部１１０は、移動端末機１００と無線通信システム間、移動端末機１００と他の移動端末機間、又は移動端末機１００と他の移動端末機の位置するネットワーク間の無線通信を可能にする少なくとも１つのモジュールを含む。
【００２３】
無線通信部１１０は、例えば放送受信モジュール１１１、移動通信モジュール１１２、無線インターネットモジュール１１３、近距離通信モジュール１１４及び位置情報モジュール１１５の少なくとも１つを含む。
【００２４】
入力部１２０は、画像信号の入力のためのカメラ１２１又は画像入力部、オーディオ信号の入力のためのマイク１２２又はオーディオ入力部、ユーザからの情報の入力のためのユーザ入力部１２３（例えば、タッチキー、プッシュキー（メカニカルキー）など）を含んでもよい。入力部１２０により得られた画像データやオーディオデータは、分析されてユーザの制御命令で処理される。
【００２５】
感知部１４０は、移動端末機１００内の情報、移動端末機１００を囲む周辺環境に関する情報及びユーザ情報の少なくとも１つを感知するための少なくとも１つのセンサを含む。感知部１４０は、例えば近接センサ１４１、照度センサ１４２、タッチセンサ、加速度センサ、磁気センサ、重力センサ、ジャイロセンサ、モーションセンサ、ＲＧＢセンサ、赤外線センサ（ＩＲセンサ）、指紋センサ、超音波センサ、光センサ、カメラ（符号１２１参照）、マイク（符号１２２参照）、バッテリゲージ、環境センサ（例えば、気圧計、湿度計、温度計、放射能センサ、熱センサ、ガスセンサなど）、化学センサ（例えば、電子鼻、ヘルスケアセンサ、生体センサなど）の少なくとも１つを含む。また、本発明による移動端末機は、これらセンサの少なくとも２つのセンサにより感知された情報を組み合わせて活用することができる。
【００２６】
出力部１５０は、視覚、聴覚、又は触覚などに関連する出力を発生するように構成される。出力部１５０は、ディスプレイ部１５１、音響出力部１５２、ハプティックモジュール１５３、光出力部１５４の少なくとも１つを含む。ディスプレイ部１５１は、タッチセンサとレイヤ構造をなすか又は一体に形成されることにより、タッチスクリーンを実現する。前記タッチスクリーンは、移動端末機１００とユーザ間の入力インタフェースを提供するユーザ入力部１２３として機能すると共に、移動端末機１００とユーザ間の出力インタフェースを提供する。
【００２７】
インタフェース部１６０は、移動端末機１００に接続される各種外部機器との通路の役割を果たす。インタフェース部１６０は、有無線ヘッドセットポート、外部充電器ポート、有無線データポート、メモリカードポート、識別モジュールが備えられた装置を接続するポート、オーディオＩ／Ｏ（Input/Output）ポート、ビデオＩ／Ｏポート、イヤホンポートの少なくとも１つを含む。移動端末機１００においては、インタフェース部１６０への外部機器の接続に対応して、接続された外部機器を制御することができる。
【００２８】
メモリ１７０は、移動端末機１００で起動される複数のアプリケーションプログラム（又はアプリケーション）、移動端末機１００の動作のためのデータやコマンドを保存する。前記アプリケーションプログラムの少なくとも一部は、無線通信を介して外部サーバからダウンロードすることができる。また、前記アプリケーションプログラムの他の少なくとも一部は、移動端末機１００の基本機能（例えば、電話着発信機能、メッセージ送受信機能）のために工場出荷時に移動端末機１００にインストールされている。さらに、前記アプリケーションプログラムは、メモリ１７０に保存され、移動端末機１００にインストールされ、制御部１８０により移動端末機１００の動作（又は機能）のために起動されるようにすることができる。
【００２９】
制御部１８０は、前記アプリケーションプログラムに関する動作に加え、通常の移動端末機１００の全般的な動作を制御する。制御部１８０は、前述した構成要素により入力又は出力される信号、データ、情報などを処理したり、メモリ１７０に保存されたアプリケーションプログラムを起動することにより、ユーザに適切な情報又は機能を提供又は処理することができる。
【００３０】
また、制御部１８０は、メモリ１７０に保存されたアプリケーションプログラムの起動のために、図１Ａに示す移動端末機１００の構成要素の少なくとも一部を制御することができる。さらに、制御部１８０は、前記アプリケーションプログラムの起動のために、移動端末機１００の構成要素の少なくとも２つを組み合わせて動作させることができる。
【００３１】
電源供給部１９０は、制御部１８０の制御下で、供給された外部の電源又は内部の電源を移動端末機１００の各構成要素に供給する。電源供給部１９０は、バッテリを含んでもよい。前記バッテリは、内蔵バッテリ又は交換可能なバッテリであってもよい。
【００３２】
前記構成要素の少なくとも一部は、後述する様々な実施形態による移動端末機の動作、制御又は制御方法を実現するために互いに連携して動作することもある。また、前記移動端末機の動作、制御又は制御方法は、前記移動端末機のメモリに保存された少なくとも１つのアプリケーションプログラムの起動により実現されることもある。
【００３３】
以下、前述した移動端末機１００により実現される様々な実施形態を説明する前に、前述した移動端末機１００の構成要素について図１Ａを参照してより具体的に説明する。
【００３４】
無線通信部１１０の放送受信モジュール１１１は、放送チャネルを介して、外部の放送管理サーバから放送信号及び／又は放送関連情報を受信する。前記放送チャネルは、衛星チャネル及び地上波チャネルを含む。少なくとも２つの放送チャネルの同時放送受信又は放送チャネルのスイッチングのために、放送受信モジュール１１１は、移動端末機１００に２つ以上備えられてもよい。
【００３５】
無線通信部１１０の移動通信モジュール１１２は、移動通信のための技術標準又は通信方式（例えば、ＧＳＭ（Global System for Mobile communication）、ＣＤＭＡ（Code Division Multi Access）、ＷＣＤＭＡ（Wideband CDMA）、ＨＳＤＰＡ（High Speed Downlink Packet Access）、ＬＴＥ（Long Term Evolution）など）により構築された移動通信網上で基地局、外部の端末、サーバの少なくとも１つと無線信号を送受信する。前記無線信号は、音声呼信号、テレビ電話呼信号、又はＳＭＳ／ＭＭＳメッセージの送受信による様々な形態のデータを含む。
【００３６】
無線通信部１１０の無線インターネットモジュール１１３は、無線インターネットの接続のためのモジュールであり、移動端末機１００に内蔵されるか又は外付けされる。無線インターネットモジュール１１３は、無線インターネット技術による通信網で無線信号を送受信するように構成される。
【００３７】
無線インターネット技術としては、例えばＷＬＡＮ（Wireless LAN）、Ｗｉ−Ｆｉダイレクト（Wireless Fidelity Direct）、ＤＬＮＡ（Digital Living Network Alliance）、Ｗｉｂｒｏ（Wireless Broadband）、ＷｉＭＡＸ（Worldwide Interoperability for Microwave Access）、ＨＳＤＰＡ、ＬＴＥなどがあり、無線インターネットモジュール１１３は、列挙していない無線インターネット技術をも含む範囲で少なくとも１つの無線インターネット技術によりデータを送受信する。
【００３８】
Ｗｉｂｒｏ、ＨＳＤＰＡ、ＧＳＭ、ＣＤＭＡ、ＷＣＤＭＡ、ＬＴＥなどによる無線インターネット接続が移動通信網を介して行われるという観点から、前記移動通信網を介して無線インターネット接続を行う無線インターネットモジュール１１３は、移動通信モジュール１１２の一種として理解してもよい。
【００３９】
無線通信部１１０の近距離通信モジュール１１４は、近距離通信のためのモジュールであり、ブルートゥース（BluetoothTM）、ＲＦＩＤ（Radio Frequency Identification）、ＩｒＤＡ（Infrared Data Association）、ＵＷＢ（Ultra Wideband）、ＺｉｇＢｅｅ、ＮＦＣ（Near Field Communication）、Ｗｉ−Ｆｉ、Ｗｉ−Ｆｉダイレクトの少なくとも１つの技術を用いて近距離通信をサポートする。近距離通信モジュール１１４は、ワイヤレスパーソナルエリアネットワーク（Wireless Personal Area Network）を用いて、移動端末機１００と無線通信システム間、移動端末機１００と他の移動端末機間、又は移動端末機１００と他の移動端末機の位置するネットワーク間の無線通信をサポートする。
【００４０】
ここで、他の移動端末機は、本発明による移動端末機１００とデータ交換が可能な（又は連動可能な）ウェアラブルデバイス（例えば、スマートウォッチ、スマートグラス、ヘッドマウントディスプレイ）などを含む。近距離通信モジュール１１４は、移動端末機１００の周辺に位置する、移動端末機１００と通信可能なウェアラブルデバイスを感知（又は認識）することができる。さらに、制御部１８０は、前記感知されたウェアラブルデバイスが移動端末機１００との通信を認証されたデバイスの場合、移動端末機１００で処理されるデータの少なくとも一部を、近距離通信モジュール１１４を介して前記ウェアラブルデバイスに送信することができる。よって、前記ウェアラブルデバイスのユーザは、移動端末機１００で処理されるデータを、前記ウェアラブルデバイスで用いることができる。例えば、ユーザは、移動端末機１００に電話がかかってきた場合に前記ウェアラブルデバイスで通話を行ったり、移動端末機１００にメッセージが受信された場合に前記ウェアラブルデバイスで前記受信されたメッセージを確認したりすることができる。
【００４１】
無線通信部１１０の位置情報モジュール１１５は、移動端末機１００の位置（又は現在の位置）を取得するためのモジュールであり、代表的な例としては、ＧＰＳ（Global Position System）モジュールとＷｉ−Ｆｉモジュールがある。一例として、移動端末機１００は、ＧＰＳモジュールを用いた場合、ＧＰＳ衛星から送られる信号を用いて、移動端末機１００の位置を取得することができる。他の例として、移動端末機１００は、Ｗｉ−Ｆｉモジュールを用いた場合、当該Ｗｉ−Ｆｉモジュールと無線信号を送信又は受信する無線ＡＰ（Wireless Access Point）の情報に基づいて、移動端末機１００の位置を取得することができる。
【００４２】
入力部１２０は、画像情報（又は信号）、オーディオ情報（又は信号）、又はユーザからの情報の入力のためのものであり、画像情報の入力のために、移動端末機１００は１つ又は複数のカメラ１２１を備える。カメラ１２１は、テレビ電話モード又は撮影モードでイメージセンサにより得られる静止画像又は動画像などの画像フレームを処理する。カメラ１２１で処理された画像フレームはディスプレイ部１５１に表示することができる。移動端末機１００に備えられる複数のカメラ１２１は、マトリクス構造に配置されてもよい。マトリクス構造に配置された複数のカメラ１２１により、移動端末機１００に様々な角度又は焦点の複数の画像情報を入力することができる。また、複数のカメラ１２１は、立体画像を実現するための左画像及び右画像を取得できるように、ステレオ構造に配置されてもよい。
【００４３】
入力部１２０のマイク１２２は、外部の音響信号を電気的な音声データに処理する。マイク１２２で処理された音声データは、移動端末機１００で実行中の機能（又はアプリケーションプログラム）によって多様に活用することができる。マイク１２２には、外部の音響信号が入力される過程で発生するノイズを除去するための様々なノイズ除去アルゴリズムが実現される。
【００４４】
入力部１２０のユーザ入力部１２３は、ユーザからの情報の入力のためのものであり、ユーザ入力部１２３により情報が入力されると、制御部１８０は、入力された情報に対応して移動端末機１００の動作を制御することができる。ユーザ入力部１２３は、機械式入力手段（又はメカニカルキー、例えば移動端末機１００の前面、背面又は側面に位置するボタン、ドームスイッチ、ジョグホイール、ジョグスイッチなど）及びタッチ式入力手段を含んでもよい。前記タッチ式入力手段は、例えば、ソフトウェア的な処理によりタッチスクリーンに表示される仮想キー、ソフトキー又はビジュアルキーからなるようにしてもよく、前記タッチスクリーン以外の部分に配置されるタッチキーからなるようにしてもよい。また、前記仮想キー又は前記ビジュアルキーは、様々な形態で前記タッチスクリーン上に表示されるようにしてもよく、例えばグラフィック、テキスト、アイコン、ビデオ又はそれらの組み合わせからなる。
【００４５】
感知部１４０は、移動端末機１００内の情報、移動端末機１００を囲む周辺環境に関する情報及びユーザ情報の少なくとも１つを感知し、それに対応する感知信号を発生する。制御部１８０は、前記感知信号に基づいて、移動端末機１００の駆動又は動作を制御したり、移動端末機１００にインストールされたアプリケーションプログラムに関するデータ処理、機能又は動作を実行することができる。感知部１４０に含まれる様々なセンサのうち代表的なセンサについてより具体的に説明すると次の通りである。
【００４６】
まず、近接センサ１４１とは、電磁界の力又は赤外線を利用して、所定の検出面に近づく物体又は近傍に存在する物体の有無を機械的な接触なしに検出できるセンサをいう。近接センサ１４１は、前記タッチスクリーンにより覆われる移動端末機１００の内部領域又は前記タッチスクリーンの近くに配置されてもよい。近接センサ１４１は、接触式センサより寿命が長く、その活用度も高い。
【００４７】
近接センサ１４１としては、透過型光電センサ、拡散反射型光電センサ、回帰反射型光電センサ、高周波発振型近接センサ、静電容量型近接センサ、磁気近接センサ、赤外線近接センサなどがある。静電式タッチスクリーンの場合、導電性を有する物体の近接による電界の変化から当該物体の近接を検出するように構成される。この場合、タッチスクリーン（又はタッチセンサ）は近接センサにも分類される。
【００４８】
以下、説明の便宜上、前記物体を前記タッチスクリーン上に接触させるのではなく近接させて前記物体が前記タッチスクリーン上に位置することを認識させることを「近接タッチ（proximity touch）」といい、前記物体を前記タッチスクリーン上に実際に接触させることを「接触タッチ（contact touch）」という。前記物体により近接タッチされる前記タッチスクリーン上の位置とは、前記物体が近接タッチされる際に前記物体が前記タッチスクリーンに対して垂直に対応する位置を意味する。
【００４９】
近接センサ１４１は、近接タッチ動作及び近接タッチパターン（例えば、近接タッチ距離、近接タッチ方向、近接タッチ速度、近接タッチ時間、近接タッチ位置、近接タッチ移動状態など）を感知することができる。制御部１８０は、近接センサ１４１により感知された近接タッチ動作及び近接タッチパターンに対応するデータ（又は情報）を処理し、また、処理されたデータに対応する視覚的な情報を前記タッチスクリーン上に出力させることができる。さらに、制御部１８０は、前記タッチスクリーン上の同一地点へのタッチが近接タッチであるか又は接触タッチであるかによって、異なる動作又はデータ（又は情報）が処理されるように移動端末機１００を制御することができる。
【００５０】
次に、タッチセンサは、抵抗膜式、静電容量式、赤外線式、超音波式、磁気式などの様々なタッチ方式のうち少なくとも１つを用いて、前記タッチスクリーン（又はディスプレイ部１５１）へのタッチ（又はタッチ入力）を感知する。
【００５１】
一例として、前記タッチセンサは、前記タッチスクリーンの特定部位に加わった圧力又は前記タッチスクリーンの特定部位に発生する静電容量などの変化を電気的な入力信号に変換するように構成されてもよい。前記タッチセンサは、前記タッチスクリーンをタッチするタッチ手段により当該タッチセンサ上でタッチされる位置、面積、タッチ時の圧力などを検出できるように構成されてもよい。ここで、前記タッチ手段とは、前記タッチセンサをタッチする物体をいい、例えば指、タッチペン又はスタイラスペン、ポインタなどがある。
【００５２】
前記タッチセンサへのタッチ入力がある場合、それに対応する信号がタッチ制御装置に送られる。前記タッチ制御装置は、その信号を処理して対応するデータを制御部１８０に送る。これにより、制御部１８０は、ディスプレイ部１５１のどの領域がタッチされたかなどが分かる。ここで、前記タッチ制御装置は、制御部１８０とは別の構成要素であってもよく、制御部１８０自体であってもよい。
【００５３】
また、制御部１８０は、前記タッチスクリーン（又は前記タッチスクリーン以外の部分に配置されるタッチキー）をタッチするタッチ手段の種類によって異なる制御を行うこともでき、同じ制御を行うこともできる。前記タッチ手段の種類によって異なる制御を行うか、同じ制御を行うかは、移動端末機１００の現在の動作状態又は実行中のアプリケーションプログラムによって決定されるようにしてもよい。
【００５４】
一方、前記タッチセンサ及び近接センサ１４１は、独立して又は組み合わせて、前記タッチスクリーンへのショートタッチ（又はタップ）、ロングタッチ、マルチタッチ、ドラッグ、フリック、ピンチイン、ピンチアウト、スワイプ、ホバーなどの様々な方式のタッチを感知することができる。
【００５５】
次に、超音波センサは、超音波を用いて、感知対象の位置情報を認識することができる。制御部１８０は、光センサと複数の超音波センサから感知される情報に基づいて、波動発生源の位置を算出することができる。波動発生源の位置は、光のほうが超音波より非常に速いこと、すなわち光が光センサに到達する時間のほうが超音波が超音波センサに到達する時間より非常に速いことを利用して算出することができる。より具体的には、波動発生源の位置は、光を基準信号として超音波が到達する時間との時間差を利用して算出することができる。
【００５６】
一方、入力部１２０を構成するカメラ１２１は、カメラセンサの一種であり、当該カメラセンサは、フォトセンサ及びレーザセンサの少なくとも一方を含む。
【００５７】
カメラ１２１と前記レーザセンサとを組み合わせ、３次元立体画像への前記感知対象のタッチを感知するようにしてもよい。前記フォトセンサは、前記タッチスクリーンに近接する前記感知対象の動きをスキャンするように構成され、ディスプレイ素子に積層されるようにしてもよい。より具体的には、前記フォトセンサは、フォトダイオードとトランジスタ（ＴＲ）を行列状に実装し、前記フォトダイオードに入る光の量に応じて変化する電気的信号を用いて、前記フォトセンサ上に載置されるものをスキャンする。すなわち、前記フォトセンサは、光の変化量に応じた前記感知対象の座標を計算し、それに基づいて前記感知対象の位置情報を取得する。
【００５８】
ディスプレイ部１５１は、移動端末機１００で処理される情報を表示（出力）する。ディスプレイ部１５１は、例えば、移動端末機１００で起動されるアプリケーションプログラムの実行画面情報、又は当該実行画面情報に応じたＵＩ（User Interface）、ＧＵＩ（Graphic User Interface）情報を表示する。
【００５９】
また、ディスプレイ部１５１は、立体画像を表示する立体ディスプレイ部として構成されてもよい。
【００６０】
前記立体ディスプレイ部には、ステレオスコピック方式（眼鏡方式）、オートステレオスコピック方式（裸眼方式）、プロジェクション方式（ホログラフィック方式）などの３次元ディスプレイ方式が適用される。
【００６１】
音響出力部１５２は、呼受信モード、通話モード、録音モード、音声認識モード、又は放送受信モードなどで、無線通信部１１０から受信するか、又はメモリ１７０に保存されたオーディオデータを出力する。音響出力部１５２は、移動端末機１００で実行される機能（例えば、呼信号受信音、メッセージ受信音など）に関連する音響信号も出力する。このような音響出力部１５２は、レシーバ、スピーカ、ブザーなどを含む。
【００６２】
ハプティックモジュール１５３は、ユーザが感じることのできる様々な触覚効果を発生する。ハプティックモジュール１５３が発生する触覚効果の代表的な例としては振動がある。ハプティックモジュール１５３が発生する振動の強度やパターンなどは、ユーザの選択又は制御部１８０の設定により制御することができる。ハプティックモジュール１５３は、例えば、異なる振動を合成して出力することもでき、順次出力することもできる。
【００６３】
ハプティックモジュール１５３は、振動の他にも、皮膚接触面に対して垂直運動するピン配列、噴射口又は吸入口を用いた空気の噴射力又は吸入力、皮膚表面に対する擦れ、電極の接触、静電気力などの刺激による効果や、吸熱又は発熱が可能な素子を用いた冷温感の再現による効果など、様々な触覚効果を発生することができる。
【００６４】
ハプティックモジュール１５３は、直接的な接触により触覚効果を伝えることができるだけでなく、ユーザが指や腕などの筋感覚により触覚効果を感じるように実現することもできる。ハプティックモジュール１５３は、移動端末機１００の構成態様に応じて２つ以上備えてもよい。
【００６５】
光出力部１５４は、移動端末機１００の光源の光を用いてイベント発生を通知するための信号を出力する。移動端末機１００で発生するイベントとしては、呼信号受信、メッセージ受信、不在着信、アラーム、スケジュール通知、電子メール受信、アプリケーションによる情報受信などがある。
【００６６】
光出力部１５４により出力される信号は、移動端末機１００が前面又は背面から単色又は複数色の光を発光することにより実現される。前記信号の出力は、移動端末機１００がユーザのイベント確認を感知することにより終了するようにしてもよい。
【００６７】
インタフェース部１６０は、移動端末機１００に接続される全ての外部機器との通路の役割を果たす。インタフェース部１６０は、外部機器からデータを受信するか、供給された電源を移動端末機１００内部の各構成要素に送るか、又は移動端末機１００内部のデータを外部機器に送信する。インタフェース部１６０は、例えば有無線ヘッドセットポート、外部充電器ポート、有無線データポート、メモリカードポート、識別モジュールが備えられた装置を接続するポート、オーディオＩ／Ｏポート、ビデオＩ／Ｏポート、イヤホンポートなどを含む。
【００６８】
前記識別モジュールは、移動端末機１００の使用権限を認証するための各種情報を保存したチップであり、ユーザ識別モジュール（User Identity Module; UIM）、加入者識別モジュール（Subscriber Identity Module; SIM）、汎用加入者識別モジュール（Universal Subscriber Identity Module; USIM）などを含む。前記識別モジュールが備えられた装置（以下、識別装置という）は、スマートカード形式で製造されてもよい。よって、前記識別装置は、インタフェース部１６０を介して移動端末機１００に接続することができる。
【００６９】
また、インタフェース部１６０は、移動端末機１００が外部のクレードルに接続された場合、前記クレードルからの電源が移動端末機１００に供給される通路となり、ユーザにより前記クレードルから入力される各種命令信号が移動端末機１００に伝達される通路となる。前記クレードルから入力される各種命令信号又は電源は、移動端末機１００が前記クレードルに正しく取り付けられたことを認知するための信号としても機能する。
【００７０】
メモリ１７０は、制御部１８０の動作のためのプログラムを保存することもでき、入出力されるデータ（例えば、電話帳、メッセージ、静止画像、動画像など）を一時保存することもできる。メモリ１７０は、前記タッチスクリーンへのタッチ入力時に出力される様々なパターンの振動及び音響に関するデータを保存することもできる。
【００７１】
メモリ１７０は、フラッシュメモリタイプ、ハードディスクタイプ、マルチメディアカードマイクロタイプ、カードタイプのメモリ（例えば、ＳＤ又はＸＤメモリなど）、ＲＡＭ（Random Access Memory）、ＳＲＡＭ（Static Random Access Memory）、ＲＯＭ（Read-Only Memory）、ＥＥＰＲＯＭ（Electrically Erasable Programmable Read-Only Memory）、ＰＲＯＭ（Programmable Read-Only Memory）、磁気メモリ、磁気ディスク及び光ディスクの少なくとも１つのタイプの記憶媒体を含む。移動端末機１００は、インターネット上でメモリ１７０の保存機能を実行するウェブストレージに関連して動作することもできる。
【００７２】
前述したように、制御部１８０は、アプリケーションプログラムに関する動作と、通常の移動端末機１００の全般的な動作を制御する。制御部１８０は、例えば、移動端末機１００の状態が設定条件を満たす場合、アプリケーションに対するユーザの制御命令の入力を制限するロック状態を実行又は解除することができる。
【００７３】
また、制御部１８０は、音声通話、データ通信、テレビ電話などに関連する制御及び処理を行うこともでき、前記タッチスクリーン上で行われる手書き入力及び手描き入力をそれぞれ文字及び画像として認識するパターン認識処理を行うこともできる。さらに、制御部１８０は、後述する様々な実施形態を本発明による移動端末機１００において実現するために、前述した移動端末機１００の構成要素のいずれか又は複数を組み合わせて制御することができる。
【００７４】
電源供給部１９０は、制御部１８０の制御下で、供給された外部の電源又は内部の電源を移動端末機１００の各構成要素に必要に応じて供給する。電源供給部１９０は、バッテリを含んでもよい。前記バッテリは、充電可能な内蔵バッテリであってもよく、充電などのために端末機本体に脱着可能に結合されるものであってもよい。
【００７５】
電源供給部１９０は、接続ポートをさらに含んでもよい。前記接続ポートは、前記バッテリの充電のために電源を供給する外部充電器が電気的に接続されるインタフェース１６０の一例として構成されてもよい。
【００７６】
他の例として、電源供給部１９０は、前記接続ポートを用いるのではなく、無線方式で前記バッテリを充電するように構成されてもよい。この場合、電源供給部１９０は、外部の無線電力送信装置から、電磁誘導現象に基づく電磁誘導方式又は電磁界共鳴現象に基づく電磁界共鳴方式の少なくとも１つを用いて電力を受信する。
【００７７】
以下に説明する様々な実施形態は、例えばソフトウェア、ハードウェア又はそれらの組み合わせにより、コンピュータ又はこれと類似の装置で読み取りが可能な記録媒体内で実現することができる。
【００７８】
図１Ｂ及び図１Ｃを参照すると、移動端末機１００は、ストレート型の端末機本体を備えている。ただし、本発明は、これに限定されるものではなく、ウォッチ型、クリップ型、グラス型、２つ以上の本体が相対移動可能に結合される折り畳み型、フリップ型、スライド型、スイング型、２軸回転型などの様々な構造に適用可能である。
【００７９】
移動端末機１００は、外観を形成するケース（フレーム、ハウジング、カバーなど）を含む。同図に示すように、移動端末機１００は、フロントケース１０１とリアケース１０２とを含んでもよい。フロントケース１０１とリアケース１０２との結合により形成される内部空間には、各種電子部品が配置される。フロントケース１０１とリアケース１０２との間には、１つ又は複数のミドルケースがさらに配置されてもよい。
【００８０】
前記端末機本体の前面には、情報を出力できるようにディスプレイ部１５１が配置されてもよい。同図に示すように、ディスプレイ部１５１のウィンドウ１５１ａは、フロントケース１０１に装着されてフロントケース１０１と共に前記端末機本体の前面を形成するようにしてもよい。
【００８１】
場合によっては、リアケース１０２にも電子部品が装着される。リアケース１０２に装着可能な電子部品としては、着脱可能なバッテリ、識別モジュール、メモリカードなどがある。この場合、リアケース１０２には、装着された電子部品を覆うための背面カバー１０３が着脱可能に結合される。つまり、背面カバー１０３がリアケース１０２から分離した場合、リアケース１０２に装着された電子部品が外部に露出する。
【００８２】
同図に示すように、背面カバー１０３がリアケース１０２に結合された場合、リアケース１０２の側面の一部が露出する。場合によっては、前記結合時、リアケース１０２が背面カバー１０３により完全に遮蔽される。また、背面カバー１０３には、カメラ１２１ｂや音響出力部１５２ｂを外部に露出させるための開口部が備えられてもよい。
【００８３】
これらのケース１０１、１０２、１０３は、合成樹脂を射出して形成してもよく、金属、例えばステンレススチール、アルミニウム（Ａｌ）、チタン（Ｔｉ）などで形成してもよい。
【００８４】
移動端末機１００は、複数のケースが各種電子部品を収容する内部空間を形成する前記例とは異なり、１つのケースが前記内部空間を形成するように構成されてもよい。この場合、合成樹脂又は金属が側面から背面につながるユニボディの移動端末機１００が実現される。
【００８５】
さらに、移動端末機１００は、前記端末機本体の内部に水が入り込まないようにする防水部を含んでもよい。前記防水部は、例えば、ウィンドウ１５１ａとフロントケース１０１との間、フロントケース１０１とリアケース１０２との間、又はリアケース１０２と背面カバー１０３との間に備えられ、これらの結合時に内部空間を密閉する防水部材を含んでもよい。
【００８６】
さらに、移動端末機１００は、ディスプレイ部１５１、第１音響出力部１５２ａ及び第２音響出力部１５２ｂ、近接センサ１４１、照度センサ１４２、光出力部１５４、第１カメラ１２１ａ及び第２カメラ１２１ｂ、第１操作ユニット１２３ａ及び第２操作ユニット１２３ｂ、マイク１２２、インタフェース部１６０などを含んでもよい。
【００８７】
以下、図１Ｂ及び図１Ｃに示すように、前記端末機本体の前面にディスプレイ部１５１、第１音響出力部１５２ａ、近接センサ１４１、照度センサ１４２、光出力部１５４、第１カメラ１２１ａ及び第１操作ユニット１２３ａが配置され、前記端末機本体の側面に第２操作ユニット１２３ｂ、マイク１２２及びインタフェース部１６０が配置され、前記端末機本体の背面に第２音響出力部１５２ｂ及び第２カメラ１２１ｂが配置された移動端末機１００を一例として説明する。
【００８８】
移動端末機１００のこれらの構成要素は、前記配置に限定されるものではなく、必要に応じて除外されたり、他の面に配置されてもよい。例えば、第１操作ユニット１２３ａが前記端末機本体の前面に備えられず、第２音響出力部１５２ｂが前記端末機本体の背面ではなく前記端末機本体の側面に備えられるようにしてもよい。
【００８９】
ディスプレイ部１５１は、移動端末機１００で処理される情報を表示（出力）する。ディスプレイ部１５１は、例えば、移動端末機１００で起動されるアプリケーションプログラムの実行画面情報、又は当該実行画面情報に応じたＵＩ、ＧＵＩ情報を表示する。
【００９０】
ディスプレイ部１５１は、液晶ディスプレイ（Liquid Crystal Display; LCD）、薄膜トランジスタ液晶ディスプレイ（Thin Film Transistor-Liquid Crystal Display; TFT-LCD）、有機発光ダイオード（Organic Light-Emitting Diode; OLED）、フレキシブルディスプレイ、３次元ディスプレイ、電子インクディスプレイの少なくとも１つを含む。
【００９１】
ディスプレイ部１５１は、移動端末機１００の実現形態に応じて２つ以上備えられてもよい。この場合、移動端末機１００には、複数のディスプレイ部を１つの面に離隔して又は一体に配置してもよく、異なる面にそれぞれ配置してもよい。
【００９２】
ディスプレイ部１５１は、タッチ方式で制御命令の入力を受けることができるように、ディスプレイ部１５１へのタッチを感知するタッチセンサを含んでもよい。これにより、ディスプレイ部１５１へのタッチが行われると、前記タッチセンサは、前記タッチを感知し、制御部１８０は、それに基づいて前記タッチに対応する制御命令を発生するようにすることができる。タッチ方式で入力される内容は、文字、数字、各種モードの指示、又は指定可能なメニュー項目などである。
【００９３】
前記タッチセンサは、タッチパターンを備えるフィルム状に構成されてウィンドウ１５１ａとウィンドウ１５１ａの背面上のディスプレイ１５１との間に配置されてもよく、ウィンドウ１５１ａの背面に直接パターニングされるメタルワイヤで構成されてもよい。また、前記タッチセンサは、ディスプレイ１５１と一体に形成されてもよい。例えば、前記タッチセンサは、ディスプレイ１５１の基板上に配置されてもよく、ディスプレイ１５１の内部に備えられてもよい。
【００９４】
このように、ディスプレイ部１５１は、前記タッチセンサと共にタッチスクリーンを実現することができる。この場合、前記タッチスクリーンは、ユーザ入力部１２３（図１Ａ参照）として機能することができる。場合によっては、前記タッチスクリーンは、第１操作ユニット１２３ａの少なくとも一部の機能を代替することができる。
【００９５】
第１音響出力部１５２ａは、通話音をユーザの耳に伝えるレシーバで実現し、第２音響出力部１５２ｂは、各種アラーム音やマルチメディアの再生音を出力するラウドスピーカの形態で実現してもよい。
【００９６】
ディスプレイ部１５１のウィンドウ１５１ａには、第１音響出力部１５２ａから発生する音響の放出のための音響ホールが形成されてもよい。しかし、本発明は、これに限定されるものではなく、第１音響出力部１５２ａから発生する音響が構造物間の組立隙間（例えば、ウィンドウ１５１ａとフロントケース１０１間の隙間）から放出されるようにしてもよい。この場合、音響の放出のために独立して形成されるホールが見えなくなるか又は隠れるので、移動端末機１００の外観がよりシンプルになる。
【００９７】
光出力部１５４は、イベントの発生時にそれを通知するための光を出力するように構成される。前記イベントの例としては、呼信号受信、メッセージ受信、不在着信、アラーム、スケジュール通知、電子メール受信、アプリケーションによる情報受信などが挙げられる。制御部１８０は、ユーザのイベント確認が感知されると光の出力が終了するように、光出力部１５４を制御することができる。
【００９８】
第１カメラ１２１ａは、撮影モード又はテレビ電話モードでイメージセンサにより得られる静止画像又は動画像の画像フレームを処理する。第１カメラ１２１ａで処理された画像フレームは、ディスプレイ部１５１に表示することができ、メモリ１７０に保存することもできる。
【００９９】
第１操作ユニット１２３ａ及び第２操作ユニット１２３ｂは、移動端末機１００の動作を制御するための命令を入力するために操作するユーザ入力部１２３の一例であり、操作部ともいわれる。第１操作ユニット１２３ａ及び第２操作ユニット１２３ｂは、タッチ、プッシュ、スクロールなど、触知式（tactile manner）であればいかなる方式も採用可能である。
【０１００】
同図においては、第１操作ユニット１２３ａがタッチキーで構成された場合を例示しているが、本発明は、これに限定されるものではない。例えば、第１操作ユニット１２３ａは、プッシュキー（メカニカルキー）で構成されてもよく、タッチキーとプッシュキーの組み合わせで構成されてもよい。
【０１０１】
第１操作ユニット１２３ａ及び第２操作ユニット１２３ｂにより入力される内容は多様に設定することができる。例えば、第１操作ユニット１２３ａには、メニュー、ホームキー、キャンセル、検索などの命令が入力され、第２操作ユニット１２３ｂには、第１音響出力部１５２ａ又は第２音響出力部１５２ｂから出力される音響のボリューム調整、ディスプレイ部１５１のタッチ認識モードへの移行などの命令が入力される。
【０１０２】
また、前記端末機本体の背面には、ユーザ入力部１２３の他の例として、背面入力部（図示せず）が備えられてもよい。前記背面入力部は、移動端末機１００の動作を制御するための命令を入力するために操作するものであり、前記背面入力部により入力される内容は多様に設定することができる。例えば、電源のオン／オフ、開始、終了、スクロールなどの命令、第１音響出力部１５２ａ又は第２音響出力部１５２ｂから出力される音響のボリューム調整、ディスプレイ部１５１のタッチ認識モードへの移行などの命令が入力される。前記背面入力部は、タッチ入力、プッシュ入力、又はそれらの組み合わせによる入力が可能な形態で実現することができる。
【０１０３】
前記背面入力部は、前記端末機本体の厚さ方向に前面のディスプレイ部１５１と重なるように配置されてもよい。例えば、ユーザが前記端末機本体を片手で握った場合に人差し指を用いて容易に操作できるように、前記背面入力部は、前記端末機本体の背面の上端部に配置されてもよい。ただし、本発明は、これに限定されるものではなく、前記背面入力部の位置は変更可能である。
【０１０４】
このように前記端末機本体の背面に前記背面入力部が備えられた場合、それを用いた新しい形態のユーザインタフェースを実現することができる。また、前記タッチスクリーン又は前記背面入力部が前記端末機本体の前面に備えられた第１操作ユニット１２３ａの少なくとも一部の機能を代替して、前記端末機本体の前面に第１操作ユニット１２３ａが配置されない場合、ディスプレイ部１５１をより大画面に構成することができる。
【０１０５】
さらに、移動端末機１００は、ユーザの指紋を認識する指紋センサを含んでもよい。この場合、制御部１８０は、前記指紋センサにより感知される指紋情報を認証手段として用いることができる。前記指紋センサは、ディスプレイ部１５１又はユーザ入力部１２３に内蔵されるようにしてもよい。
【０１０６】
マイク１２２は、ユーザの音声、その他の音などを入力できるように構成される。マイク１２２は、複数箇所に備えられてステレオ音響を入力できるように構成されてもよい。
【０１０７】
インタフェース部１６０は、移動端末機１００を外部機器に接続するための通路となる。例えば、インタフェース部１６０は、他の装置（例えば、イヤホン、外部スピーカなど）との接続のための接続端子、近距離通信のためのポート（例えば、赤外線ポート、ブルートゥースポート、無線ＬＡＮポートなど）、又は移動端末機１００への電源供給のための電源供給端子の少なくとも１つである。インタフェース部１６０は、ＳＩＭ、ＵＩＭ、情報保存のためのメモリカードなどの外部カードを収容するソケットの形態で実現してもよい。
【０１０８】
前記端末機本体の背面には、第２カメラ１２１ｂが配置されてもよい。この場合、第２カメラ１２１ｂは、第１カメラ１２１ａとは撮影方向が実質的に反対である。
【０１０９】
第２カメラ１２１ｂは、少なくとも１つのラインに沿って配列される複数のレンズを含んでもよい。前記複数のレンズは、マトリクス状に配列されてもよい。このようなカメラを「アレイカメラ」ともいう。第２カメラ１２１ｂがアレイカメラで構成された場合、前記複数のレンズを用いて様々な方式で画像を撮影することができ、よりよい品質の画像を取得することができる。
【０１１０】
フラッシュ１２４は、第２カメラ１２１ｂに隣接して配置されてもよい。フラッシュ１２４は、第２カメラ１２１ｂで被写体を撮影する場合に被写体に向けて光を照射する。
【０１１１】
前記端末機本体には、第２音響出力部１５２ｂがさらに配置されてもよい。第２音響出力部１５２ｂは、第１音響出力部１５２ａと共にステレオ機能を実現することができ、通話時にはスピーカフォンモードの実現のために用いることができる。
【０１１２】
前記端末機本体には、無線通信のための少なくとも１つのアンテナが備えられてもよい。前記アンテナは、前記端末機本体に内蔵されてもよく、ケースに形成されてもよい。例えば、放送受信モジュール１１１の一部を構成するアンテナは、前記端末機本体から引き出し可能に構成されてもよい。また、前記アンテナは、フィルム状に形成されて背面カバー１０３の内面に取り付けられてもよく、導電性材質を含むケースがアンテナとして機能するように構成されてもよい。
【０１１３】
前記端末機本体には、移動端末機１００に電源を供給するための電源供給部１９０が備えられてもよい。電源供給部１９０は、前記端末機本体に内蔵されてもよく、前記端末機本体の外部に着脱可能に構成されるバッテリ１９１を含んでもよい。
【０１１４】
バッテリ１９１は、インタフェース部１６０に接続される電源ケーブルを介して電源が供給されるように構成されてもよい。また、バッテリ１９１は、無線充電機器により無線充電可能に構成されてもよい。前記無線充電は、電磁誘導方式又は磁界共振方式（電磁界共鳴方式）で実現することができる。
【０１１５】
同図においては、背面カバー１０３がバッテリ１９１を覆うようにリアケース１０２に結合されてバッテリ１９１の離脱を制限し、バッテリ１９１を外部の衝撃と異物から保護するように構成された場合を例示している。バッテリ１９１が前記端末機本体に着脱可能に構成された場合、背面カバー１０３がリアケース１０２に着脱可能に結合されるようにしてもよい。
【０１１６】
さらに、移動端末機１００は、外観を保護したり、移動端末機１００の機能を補助又は拡張するためのアクセサリーを含んでもよい。前記アクセサリーの一例としては、移動端末機１００の少なくとも一面を覆蓋又は収容するカバー又はパウチが挙げられる。前記カバー又は前記パウチは、ディスプレイ部１５１と連動して移動端末機１００の機能を拡張するように構成されてもよい。前記アクセサリーの他の例としては、前記タッチスクリーンへのタッチ入力を補助又は拡張するためのタッチペンが挙げられる。
【０１１７】
図１Ｄを参照すると、フロントケース１０１には、タッチディスプレイ部１５１を装着可能なユニットが形成されてもよい。ディスプレイ部１５１は、前記ユニットに対応するプレート状に形成されてもよい。
【０１１８】
本実施形態によるディスプレイ部１５１は、強化ガラスなどで形成されて移動端末機１００の外観を構成する透光性ウィンドウ部１５１ａと、ウィンドウ部１５１ａの下方に形成されてウィンドウ部１５１ａを介して視覚情報を出力するディスプレイ部１５１ｂとを含む。タッチディスプレイ部１５１は、ユーザのタッチ入力を検知するタッチ検知部をさらに含む。
【０１１９】
前記端末機本体の内部には、プリント基板（Printed Circuit Board）が取り付けられ、前記プリント基板には、移動端末機１００の機能を動作させるための複数の電子部品が実装される。
【０１２０】
ウィンドウ部１５１ａは、ディスプレイ部１５１ｂの視覚情報が出力される領域が透光性に形成されてもよく、それをディスプレイの表示部と定義する。前記表示部を囲む残りの領域は、内部の取付部品を遮蔽できるように不透光性に形成されてもよく、それを周辺部と定義する。
【０１２１】
前記周辺部には、第１音響出力部１５２ａから出力される音響を通過させるための音響出力孔、及び第１カメラ１２１ａに撮影情報を通過させるためのカメラホール１２１ａ’が形成されてもよい。また、プリント基板２８２が示されている。
【０１２２】
タッチディスプレイ部１５１のタッチ検知部は、タッチディスプレイ部１５１のウィンドウ部１５１ａへのユーザのタッチ入力を検知する。前記タッチ検知部は、ウィンドウ部１５１ａにおける前記タッチ入力が行われた領域（すなわち、タッチ座標）と共に、タッチディスプレイ部１５１を押圧するタッチ圧力を検知することができる。
【０１２３】
以下、ユーザのタッチ入力によるタッチ座標及びタッチ圧力を検知するタッチ検知部の構成について図２を参照して説明する。
【０１２４】
図２の（ａ）及び（ｂ）は一実施形態によるタッチ入力のタッチ座標及びタッチ圧力を検知するタッチ検知部を示す概念図である。同図に示すように、一実施形態によるタッチ検知部は、第１入力電極パターンＴｘ＿ＸＹ、第２入力電極パターンＴｘ＿Ｚ及び出力電極パターンＲｘを含む。第１入力電極パターンＴｘ＿ＸＹ、第２入力電極パターンＴｘ＿Ｚ及び出力電極パターンＲｘは、異なるレイヤを形成し、出力電極パターンＲｘは、第１入力電極パターンＴｘ＿ＸＹと第２入力電極パターンＴｘ＿Ｚとの間に形成される。
【０１２５】
第１及び第２入力電極パターンＴｘ＿ＸＹ、Ｔｘ＿Ｚから入力された電流が出力される。前記電流は、フレキシブルプリント基板２８３を介してプリント基板２８２に流れ、それにより制御信号が発生する。従って、出力電極パターンＲｘに出力される電流の変化に基づいて、前記タッチ入力を検知することができる。
【０１２６】
例えば、図１Ｂを参照すると、指１０（又はタッチペン）などの伝導体がタッチディスプレイ部１５１に近接して位置すると、第１入力電極パターンＴｘ＿ＸＹの電流の一部が指１０などに流れるので、出力電極パターンＲｘにより出力される電流の値が変化する。ただし、不導体２０には電流が流れないので、前記タッチ検知部は不導体２０のタッチ座標を算出することはできない。
【０１２７】
第１入力電極パターンＴｘ＿ＸＹは、第１方向Ｄ１に延びた複数の電極ラインからなり、出力電極パターンＲｘは、第２方向Ｄ２に延びた複数の電極ラインからなる。第１方向Ｄ１と第２方向Ｄ２とが実質的に垂直であるので、前記タッチ検知部は、第１入力電極パターンＴｘ＿ＸＹと出力電極パターンＲｘを用いてタッチ座標を算出することができる。
【０１２８】
第２入力電極パターンＴｘ＿Ｚは、第１方向Ｄ１に延びた複数の電極ラインからなる。ここで、前記電極ラインは、ベース基板又はタッチディスプレイ部１５１を構成する他の構成要素の一面に酸化インジウムスズ（ＩＴＯ）が蒸着されて形成されてもよい。前記電極パターンは、スパッタリング法で形成されてもよい。
【０１２９】
第２入力電極パターンＴｘ＿Ｚは、ウィンドウ部１５１ａから伝達される外力により出力電極パターンＲｘとの距離が変化するように配置される。図２の（ａ）及び（ｂ）を参照すると、第２入力電極パターンＴｘ＿Ｚと出力電極パターンＲｘとの距離が相対的に遠い場合、第２入力電極パターンＴｘ＿Ｚから出力電極パターンＲｘを介して電流が出力されない。しかし、第２入力電極パターンＴｘ＿Ｚと出力電極パターンＲｘとの距離が近くなると、第１入力電極パターンＴｘ＿ＸＹの電流だけでなく、第２入力電極パターンＴｘ＿Ｚの電流も出力電極パターンＲｘを介して出力される。よって、前記タッチ検知部は、出力電極パターンＲｘを介して第１及び第２入力電極パターンＴｘ＿ＸＹ、Ｔｘ＿Ｚの電流が出力されると、タッチ入力のタッチ座標及びタッチ圧力を検知することができる。
【０１３０】
また、第２入力電極パターンＴｘ＿Ｚと出力電極パターンＲｘとの距離が近くなるほど、出力電極パターンＲｘに出力される電流の量が増加するので、前記タッチ検知部は、タッチ圧力の程度及びタッチ圧力の変化を検知することができる。
【０１３１】
つまり、本実施形態によれば、出力電極パターンＲｘは、第１及び第２入力電極パターンＴｘ＿ＸＹ、Ｔｘ＿Ｚの電流をどちらも出力できるように形成される。ただし、前記タッチ検知部は、１つの入力電極パターンと２つの出力電極パターンとを含むようにしてもよい。すなわち、前記１つの入力電極パターンが前記２つの出力電極パターン間に配置されるようにしてもよい。
【０１３２】
図１Ｂを参照すると、前記タッチ検知部は、不導体２０を用いてタッチディスプレイ部に加えられるタッチ圧力を検知することができる。つまり、本実施形態による移動端末機１００は、導体によるタッチ座標及びタッチ圧力だけでなく、不導体によるタッチ圧力も検知することができる。本発明によるタッチ検知部は、様々なタイプのタッチディスプレイ部に適用することができる。
【０１３３】
以下、本発明によりタッチ入力を検知するタッチ検知部の構造及び制御方法について説明する。
【０１３４】
特に、図３Ａ及び図３Ｂは一実施形態によるタッチディスプレイ部の構造を説明するための図１ＤのＡ−Ａ線断面図である。図３Ａ及び図３Ｂに示すタッチディスプレイ部５１０は、視覚情報を出力するディスプレイ部と、ユーザのタッチ入力を検知するタッチ検知部とを含む。前記ディスプレイ部と前記タッチ検知部とは、１つの構成からなるようにしてもよく、接着部材により一体に形成されるようにしてもよい。
【０１３５】
図３Ａ及び図３Ｂに示すように、タッチディスプレイ部５１０は、ディスプレイパネル５１１、変形領域５１２、ウィンドウ５１３及びタッチ検知部５１４を含む。
【０１３６】
ディスプレイパネル５１１は、液晶ディスプレイ（ＬＣＤ）で実現してもよい。ディスプレイパネル５１１は、前記端末機本体の内部に配置され、ユーザの制御命令による電気的信号に基づいて光を放出する。ディスプレイパネル５１１により視覚情報が出力される。
【０１３７】
ウィンドウ５１３は、ディスプレイパネル５１１の上方に形成され、前記端末機本体の外観を構成する。ウィンドウ５１３は、ユーザのタッチ入力を直接受信し、強化ガラスからなるようにしてもよい。ウィンドウ５１３は、ユーザにより所定の基準以上の圧力が加えられると変形（曲げ）可能な材質で形成されることが好ましい。
【０１３８】
変形領域５１２は、ウィンドウ５１３とディスプレイパネル５１１との間に形成される。変形領域５１２は、ウィンドウ５１３に加わる外力によりその一部が変形するように形成される。変形領域５１２は、水やアルコールなどの液体層、ヘリウムや空気などの気体層、又はゲル層からなるようにしてもよい。ただし、変形領域５１２が気体などからなる場合は、外力により気体空間が圧縮されたり、当該気体が特定空間に流出するので、外力によりタッチディスプレイ部５１０を構成する他の構成要素が相対的に大きく変形する。特に、変形領域５１２を基準として外力が加わった領域（すなわち、移動端末機１００の外観）の近くに配置された構成要素（図３Ａにおけるウィンドウ５１３、第１検知層５１４ａ及び第２検知層５１４ｂ）が変形する。
【０１３９】
タッチ検知部５１４は、ユーザの指１０のタッチにより静電容量が変化したウィンドウ５１３上のタッチ地点（すなわち、ディスプレイ部１５１上の座標点）を検知する座標検知部と、ウィンドウ５１３の変形による静電容量の変化を検知してタッチ圧力を検知する圧力検知部とからなるようにしてもよい。
【０１４０】
タッチ検知部５１４は、第１検知層５１４ａ、第２検知層５１４ｂ及び第３検知層５１４ｃを含む。第１検知層５１４ａは、電流の出力端であるタッチ出力層（Ｒｘ）として作用し、第２検知層５１４ｂ及び第３検知層５１４ｃは、電流の入力端であるタッチ入力層（Ｔｘ）として作用する。第２検知層５１４ｂ及び第３検知層５１４ｃに電流が供給され、その供給された電流は第１検知層５１４ａを介して出力される。
【０１４１】
第２検知層５１４ｂは、ウィンドウ５１３の下方に形成され、第１検知層５１４ａは、第２検知層５１４ｂの下方に形成される。ユーザの指がウィンドウ５１３にタッチすると、その指により電場が形成され、その電場の形成は第１検知層５１４ａを介して出力される静電容量の変化により検知される。
【０１４２】
第１検知層５１４ａ及び第２検知層５１４ｂはそれぞれ複数の検知ラインからなり、第１検知層５１４ａの検知ラインは第２検知層５１４ｂの検知ラインに対して垂直に延びるようにしてもよい。こうすることにより、前記各検知ラインが交差する地点に静電容量が形成される。第１検知層５１４ａ及び第２検知層５１４ｂは、静電容量の変化が生じたタッチ地点を検知する。よって、制御部１８０は、ディスプレイ部１５１上でユーザのタッチ入力を受信したタッチ座標を認識することができる。
【０１４３】
第１検知層５１４ａとディスプレイパネル５１１との間には、変形領域５１２と第３検知層５１４ｃが配置される。第３検知層５１４ｃは、ディスプレイパネル５１１に隣接して配置され、第１検知層５１４ａと第３検知層５１４ｃとの間には、変形領域５１２が配置される。変形領域５１２は、所定の厚さに形成される。例えば、変形領域５１２が固体からなる場合、変形領域５１２が所定の厚さに形成され、変形領域５１２が液体又は気体からなる場合、第１検知層５１４ａと第３検知層５１４ｃとの間の空間が所定の厚さに形成される。
【０１４４】
つまり、第１検知層５１４ａと第２検知層５１４ｂとは隣接して配置されるのに対して、第１検知層５１４ａと第３検知層５１４ｃとは変形領域５１２を介して離隔して配置される。従って、第２検知層５１４ｂからの電流は第１検知層５１４ａを介して出力されるのに対して、第３検知層５１４ｃからの電流は第１検知層５１４ａにほとんど流れない。
【０１４５】
この場合、第３検知層５１４ｃは、ディスプレイパネル５１１から発生する電流によるタッチ検知部５１４のノイズを低減するために、グランド（ＧＮＤ）として機能する。
【０１４６】
従って、ウィンドウ５１３に所定の強度以上の外力が加わらず、変形領域５１２が変形しない場合、変形領域５１２の厚さにより第１検知層５１４ａ及び第２検知層５１４ｂ上の静電容量の変化のみ生じる。
【０１４７】
また、図３Ｂに示すように、ウィンドウ５１３に所定の強度以上の外力が加わると、ウィンドウ５１３の一領域が変形する。よって、変形領域５１２に力が伝達されて変形領域５１２の一領域が変形し、前記外力により変形領域５１２の一領域の厚さが薄くなる。
【０１４８】
変形領域５１２と共に第１検知層５１４ａ及び第２検知層５１４ｂが変形すると（変形領域５１２が固体からなる場合、変形領域５１２の厚さが薄くなると）、第１検知層５１４ａと第３検知層５１４ｃ間の間隔が狭くなる。従って、第３検知層５１４ｃからの電流が第１検知層５１４ａを介して出力される。
【０１４９】
前記外力が大きくなるほど、ウィンドウ５１３と共に第１検知層５１４ａの一領域が第３検知層５１４ｃに近づくように変形する。従って、第３検知層５１４ｃから第１検知層５１４ａに出力される電流の量が増加する。つまり、制御部１８０は、第３検知層５１４ｃから第１検知層５１４ａに出力される電流の量及び電流量の変化に基づいて、タッチ圧力の変化を検知することができる。
【０１５０】
第３検知層５１４ｃから第１検知層５１４ａに出力される電流を検知する間、ユーザの指がウィンドウ５１３にタッチし続けているので、制御部１８０は、ウィンドウ５１３へのタッチ入力のタッチ座標及びタッチ圧力を同時に検知することができる。つまり、タッチディスプレイ部５１０において、第２検知層５１４ｂは、第１検知層５１４ａと共にタッチ入力のＸＹ座標を検知（Ｔｘ＿ＸＹ）し、第３検知層５１４ｃは、第１検知層５１４ａと共にタッチ入力のＺ座標を検知（Ｔｘ＿Ｚ）するように形成される。これにより、タッチ検知部５１４は、ユーザの３次元タッチ入力を検知することができる。
【０１５１】
また、本発明によるタッチ検知部は、前記外力に対応して変形領域５１２が変形し、それにより外力の変化を検知することができる。
【０１５２】
また、図１Ｂ及び図３Ａを参照すると、第１検知層５１４ａ及び第２検知層５１４ｂを介して出力される電流の量を変化させない不導体２０によりウィンドウ５１３が押圧された場合も、前記外力を検知することができる。具体的には、不導体２０によりウィンドウ５１３及び変形領域５１２が変形すると、第１検知層５１４ａと第３検知層５１４ｃとの間に流れる電流の量が変化するので、制御部１８０はそれを検知することができる。
【０１５３】
また、変形領域５１２は、前記外力が解除されると形状が戻るように形成される。変形領域５１２は、ウィンドウ５１３の元の形状に戻る付勢力や、変形領域５１２の材質自体の付勢力により元の状態に復元される。
【０１５４】
よって、ユーザは一領域にタッチ入力を行いながら力を作用させることにより、タッチ領域及びタッチ圧力に基づく様々な制御命令を生成することができる。
【０１５５】
次に、図４は一実施形態により交互に活性化する検知層の駆動方法を示すグラフである。第１検知層５１４ａは、第１〜第４フレームＦ１、Ｆ２、Ｆ３、Ｆ４の全てで活性化（ＯＮ）する。第２検知層５１４ｂは、第１フレームＦ１及び第３フレームＦ３で活性化（ＯＮ）し、第２フレームＦ２及び第４フレームＦ４で不活性化（ＯＦＦ）する。第３検知層５１４ｃは、第２フレームＦ２及び第４フレームＦ４で活性化（ＯＮ）し、第１フレームＦ１及び第３フレームＦ３で不活性化（ＯＦＦ）する。
【０１５６】
すなわち、第２検知層５１４ｂ及び第３検知層５１４ｃは、交互に活性化して第１検知層５１４ａを介して電流を出力する。つまり、第１検知層５１４ａは、１フレームで第２検知層５１４ｂと第３検知層５１４ｃのいずれか一方の電流を出力するように駆動される。これにより、第２検知層５１４ｂ及び第３検知層５１４ｃからの電流の混同を最小限に抑えることができる。
【０１５７】
また、第２検知層５１４ｂ及び第３検知層５１４ｃは、不活性化状態（すなわち、タッチ入力による信号を生成しないとき）では、グランド（ＧＮＤ）として接続されてディスプレイパネル５１１のノイズを遮断する機能を有する。
【０１５８】
これにより、制御部１８０は、タッチ入力のタッチ座標及びタッチ圧力をより正確に検知し、それによる制御命令を生成することができる。
【０１５９】
次に、図５Ａ及び図５Ｂはタッチ入力が行われた領域に基づくタッチ圧力の補正方法を示す概念図及びフローチャートである。
【０１６０】
より詳細には、図５Ａの（ａ）及び（ｂ）はタッチ入力が行われた領域によるタッチ入力の違いを示す概念図であって、同じタッチ入力を発生させるためにウィンドウの異なる領域に加わる外力について説明するためのものである。図５Ａの（ａ）はウィンドウ５１３の中央領域である第１領域に第１力を加えた場合のウィンドウ５１３の変形程度を示す図であり、図５Ａの（ｂ）はウィンドウ５１３の縁部領域に隣接する第２領域に第２力を加えた場合のウィンドウ５１３の変形程度を示す図である。図５Ａの（ａ）及び（ｂ）において、ウィンドウ５１３の変形程度は実質的に同じである。ただし、前記第２領域に加わった第２力は前記第１領域に加わった第１力より大きい。例えば、前記第２力は前記第１力の２倍の圧力に相当する。
【０１６１】
図５Ａの（ｃ）を参照すると、制御部１８０は、ウィンドウ５１３の縁部領域に加わった外力とウィンドウ５１３の中央領域に加わった外力とが実質的に同じ場合、ウィンドウ５１３の中央領域に加わった外力をより高いタッチ圧力として検知する。本実施形態によれば、前記タッチ入力が行われた領域に応じて前記タッチ圧力を補償した補償圧力に基づいて制御命令を生成する。
【０１６２】
より詳細には、図５Ｂは前記補償圧力を算出する方法を示すフローチャートである。
【０１６３】
図５Ｂを参照すると、タッチ検知部５１４は、ウィンドウ５１３へのタッチ入力を検知する。制御部１８０は、タッチ検知部５１４を用いて前記タッチ入力のタッチ座標及びタッチ圧力を検知する（Ｓ１１）。
【０１６４】
制御部１８０は、前記タッチ座標に対応する所定の圧力補償数値を選択し（Ｓ１２）、前記圧力補償数値に基づいて補償圧力を算出する（Ｓ１３）。
【０１６５】
例えば、前記圧力補償数値は、前記タッチ座標がウィンドウ５１３の中央部から遠ざかるほど大きくなる値であり、前記補償圧力は、前記タッチ圧力に前記圧力補償数値を加算した圧力値である。これにより、異なる領域に実質的に同じ圧力でタッチ入力が行われた場合、そのタッチ入力のタッチ圧力は実質的に同一に算出される。
【０１６６】
これにより、タッチ入力のディスプレイ部１５１上でのタッチ座標と当該タッチ座標により補償されたタッチ圧力を共に検知し、タッチ座標及び補償圧力を用いて正確な制御命令を生成することができる。
【０１６７】
以上、ウィンドウ５１３と変形領域５１２との間及び変形領域５１２とディスプレイパネル５１１との間に形成された第１〜第３検知層５１４ａ、５１４ｂ、５１４ｃにより座標情報及び圧力情報を含むユーザのタッチ入力を検知する、一実施形態によるタッチディスプレイ部について説明した。以下、ユーザのタッチ入力による静電容量の変化を検知してその圧力による変形領域の変形による圧力を検知する構成を含む、他の実施形態によるタッチディスプレイ部について説明する。
【０１６８】
本発明の一実施形態による移動端末機は、タッチ検知部によるタッチ入力を用いて信号を生成する駆動回路をさらに含む。本発明による駆動回路は、入力端駆動回路及び出力端駆動回路からなるようにしてもよい。前記入力端駆動回路は、前記複数の検知ラインからなる入力端にチャネル信号を送信する。本発明による駆動回路は、前記複数の検知ラインのそれぞれに実質的に同時に前記チャネル信号を送信する。前記複数の検知ラインにそれぞれ入力されるチャネル信号は、前記各検知ラインに応じて変調された信号であってもよい。
【０１６９】
従って、各検知ラインにチャネル信号を順次供給してタッチ入力を検知する技術より、タッチ入力を速く検知することができる。つまり、前記検知層が交互に活性化してもタッチ入力の検知速度が遅くならない。
【０１７０】
図６Ａ及び図６Ｂは他の実施形態による液晶ディスプレイパネルに形成されたタッチ検知部を含むタッチディスプレイ部の構造を説明するための図１ＤのＡ−Ａ線断面図である。本実施形態によるタッチディスプレイ部は、タッチ検知部の一部が移動端末機のカバーガラスとなるウィンドウと一体に形成されるタイプのタッチディスプレイ部に適用することができる。
【０１７１】
図６Ａの（ａ）及び（ｂ）に示すタッチディスプレイ部５２０は、ディスプレイパネル５２１、変形領域５２２及びタッチ検知部５２４を含む。ディスプレイパネル５２１及び変形領域５２２は、それぞれ図３Ａのディスプレイパネル５１１及び変形領域５１２と実質的に同一であるので、その説明を省略する。
【０１７２】
ディスプレイパネル５２１の上方に変形領域５２２が形成される。タッチ検知部５２４は、第１検知層５２４ａ、第２検知層５２４ｂ及び第３検知層５２４ｃを含む。第１検知層５２４ａは、電流の出力端であるタッチ出力層（Ｒｘ）として作用し、第２検知層５２４ｂ及び第３検知層５２４ｃは、電流の入力端であるタッチ入力層（Ｔｘ）として作用する。
【０１７３】
第３検知層５２４ｃは、変形領域５２２とディスプレイパネル５２１との間に形成される。第１検知層５２４ａは、変形領域５２２の上方に形成される。よって、図６Ａの（ｂ）に示すように、外力により第１検知層５２４ａと第３検知層５２４ｃ間の間隔が狭くなると、第３検知層５２４ｃの電流が第１検知層５２４ａに出力される。つまり、第３検知層５２４ｃは、第１検知層５２４ａと共にタッチ圧力を検知する。
【０１７４】
第２検知層５２４ｂは、前記移動端末機の外観を形成するウィンドウ及びタッチ検知ラインを含む。より詳細には、前記ウィンドウを構成するベース基板（ガラス基板）における第１検知層５２４ａに対向する一面に、複数のタッチ検知ラインが形成される。例えば、第２検知層５２４ｂは、前記ベース基板上に導電性材料（例えば、ＩＴＯ）が蒸着され、前記タッチ検知ラインと前記ウィンドウとが一体に形成される。
【０１７５】
すなわち、第２検知層５２４ｂのタッチ検知ラインから第１検知層５２４ａに電流が出力される。つまり、第２検知層５２４ｂは、第１検知層５２４ａと共に前記ウィンドウ上へのユーザのタッチ入力のタッチ座標を検知することができる。
【０１７６】
図６Ｂの（ａ）及び（ｂ）に示すタッチディスプレイ部５３０は、ディスプレイパネル５３１、変形領域５３２、ウィンドウ５３３及びタッチ検知部５３４を含む。ディスプレイパネル５３１、変形領域５３２及びウィンドウ５３３は順次積層される。ディスプレイパネル５３１、変形領域５３２及びウィンドウ５３３は、図３Ａに示すディスプレイパネル５１１、変形領域５１２及びウィンドウ５１３と実質的に同一であるので、その説明を省略する。
【０１７７】
タッチ検知部５３４は、ウィンドウ５３３と変形領域５３２との間に形成される。タッチ検知部５３４は、第１タッチ検知ライン及び第２タッチ検知ラインを含む。前記第１タッチ検知ライン及び前記第２タッチ検知ラインは、異なる方向に形成される複数の検知ラインからなるようにしてもよい。
【０１７８】
例えば、タッチ検知部５３４は、ベース基板と、前記ベース基板の一面に第１方向に蒸着された第１タッチ検知ラインと、前記ベース基板の他面に前記第１方向と垂直な第２方向に蒸着された第２タッチ検知ラインとを含んでもよい。前記第１タッチ検知ライン及び前記第２タッチ検知ラインは、金属材料（例えば、ＩＴＯ）で形成されてもよい。ただし、前記第１タッチ検知ライン及び前記第２タッチ検知ラインが前記ベース基板上に形成される構造はこれに限定されるものではない。
【０１７９】
すなわち、タッチ検知部５３４は、電流の出力端及び電流の入力端をどちらも含む。前記第１タッチ検知ラインが電流の出力端であり、前記第２タッチ検知ラインが電流の入力端である。タッチ検知部５３４は、タッチディスプレイ部５３０へのタッチ入力のタッチ座標を検知する。
【０１８０】
図６Ｂの（ｂ）に示すように、タッチディスプレイ部５３０に外力が加わると、タッチ検知部５３４が変形し、タッチ検知部５３４の変形により変形領域５３２の一領域が変形する。変形領域５３２の厚さが薄くなると、ディスプレイパネル５３１から発生する電流がタッチ検知部５３４の出力端を介して出力される。変形領域５３２の厚さが薄くなるほど、ディスプレイパネル５３１からタッチ検知部５３４の出力端に出力される電流の量が増加する。これにより、制御部１８０は、外力によるタッチ圧力の変化を検知することができる。
【０１８１】
本実施形態によれば、前記入力端に該当する検知ラインにより検知される電流の代わりに、前記ディスプレイパネルから発生するノイズ電流を検知して前記タッチ圧力を検知するようにしてもよい。これにより、前記タッチディスプレイ部の厚さを薄くすることができる。
【０１８２】
次に、図７はさらに他の実施形態によるタッチディスプレイ部の構造を示す概念図である。
【０１８３】
図７の（ａ）及び（ｂ）に示すように、タッチディスプレイ部６００は、フレキシブルディスプレイパネル６１０及びタッチ検知部６２０を含む。本実施形態によるタッチディスプレイ部６００は、外力により変形可能に構成される。ここで、変形は、曲げ、反り、折り畳み、ねじれ、巻きの少なくとも１つを含む。
【０１８４】
フレキシブルディスプレイパネル６１０は、変形可能なガラス材質のベース基板を含んでもよく、垂直方向に外力が作用する場合、フレキシブルディスプレイパネル６１０自体の厚さが薄くなる。すなわち、フレキシブルディスプレイパネル６１０自体が前記変形領域として機能する。
【０１８５】
タッチ検知部６２０は、第１検知層６２１及び第２検知層６２２を含む。第１検知層６２１は、フレキシブルディスプレイパネル６１０の一面に形成され、第２検知層６２２は、フレキシブルディスプレイパネル６１０の他面に形成される。第１検知層６２１は、電流の出力端であるタッチ出力層（Ｒｘ）として作用し、第２検知層６２２は、電流の入力端であるタッチ入力層（Ｔｘ）として作用する。
【０１８６】
さらに、フレキシブルディスプレイパネル６１０は、タッチ出力端を含んでもよい。前記タッチ出力端は、第１検知層６２１に隣接して形成される。これにより、第１検知層６２１へのタッチ入力のタッチ座標を検知することができる。
【０１８７】
また、外力によりフレキシブルディスプレイパネル６１０の厚さが薄くなると、第１検知層６２１と第２検知層６２２間の間隔が狭くなり、第２検知層６２２の電流が第１検知層６２１に出力される。これにより、前記タッチ入力のタッチ圧力を検知することができる。
【０１８８】
外力により変形可能なディスプレイパネルであれば、前記ディスプレイパネルの種類に制限はない。よって、ディスプレイパネル６１０は、液晶ディスプレイ（ＬＣＤ）又は有機発光ダイオード（ＯＬＥＤ）パネルで実現してもよい。すなわち、ディスプレイパネルの両面に検知ラインが形成され、前記検知ラインの上方にウィンドウが形成される構造を含んでもよい。
【０１８９】
次に、図８Ａ及び図８Ｂはディスプレイパネルにタッチ検知ラインが形成されたタッチディスプレイ部の構造を示す概念図である。本実施形態によるタッチディスプレイ部は、視覚情報を出力するディスプレイパネルの構成要素にタッチ検知部の一部が形成されるタイプのタッチディスプレイ部に適用することができる。特に、本実施形態によるタッチディスプレイ部は、ディスプレイパネルに供給される信号に基づいて光の伝達を制御するセルにタッチ検知部が形成されるタイプのタッチディスプレイ部に適用することができる。
【０１９０】
同図に示すように、図８Ａの（ａ）及び（ｂ）に示すタッチディスプレイ部５４０は、ディスプレイパネル５４１、変形領域５４２、ウィンドウ５４３及びタッチ検知部５４４を含む。ウィンドウ５４３及び変形領域５４２は、図３Ａに示すウィンドウ５１３及び変形領域５１２と実質的に同一であるので、その説明を省略する。ディスプレイパネル５４１は、積層されるＴＦＴ層５４１ａ、カラーフィルタ層５４１ｂ及び偏光層５４１ｃを含む。
【０１９１】
タッチ検知部５４４は、第１〜第３タッチ検知ライン５４４ａ、５４４ｂ、５４４ｃを含む。第１タッチ検知ライン５４４ａは、カラーフィルタ層５４１ｂに形成される。すなわち、カラーフィルタ層５４１ｂの一面に金属層（例えば、ＩＴＯ）が蒸着される。第１タッチ検知ライン５４４ａは、電流の出力端であるタッチ出力層（Ｒｘ）として作用する。
【０１９２】
第２タッチ検知ライン５４４ｂは、ウィンドウ５４１の内面に金属層（例えば、ＩＴＯ）が蒸着されて形成される。第２タッチ検知ライン５４４ｂは、電流の入力端であるタッチ入力層（Ｔｘ）として作用する。第３タッチ検知ライン５４４ｃは、ＴＦＴ層５４１ａに形成される。例えば、第３タッチ検知ライン５４４ｃは、カラーフィルタ層５４１ｂに対向するＴＦＴ層５４１ａの一面に形成されてもよい。第３タッチ検知ライン５４４ｃは、電流の入力端であるタッチ入力層（Ｔｘ）として作用する。
【０１９３】
本実施形態によるタッチ検知部５４４は、タッチ検知ラインを形成するためのベース基板を備えるのではなく、ウィンドウ５４３及びディスプレイパネル５４１の構成要素に第１〜第３タッチ検知ライン５４４ａ、５４４ｂ、５４４ｃを形成することにより、タッチ検知部５４４とディスプレイパネル５４１とが一体に形成される。
【０１９４】
変形領域５４２は、ディスプレイパネル５４１と第２タッチ検知ライン５４４ｂとの間に配置される。第３タッチ検知ライン５４４ｃの電流は第１タッチ検知ライン５４４ａに出力される。変形領域５４２による第１タッチ検知ライン５４４ａと第２タッチ検知ライン５４４ｂ間の間隔により、第２タッチ検知ライン５４４ｂから第１タッチ検知ライン５４４ａに出力される電流は少量である。
【０１９５】
また、ウィンドウ５４３に加わる外力により第２タッチ検知ライン５４４ｂの一部が変形（移動）すると、第１タッチ検知ライン５４４ａと第２タッチ検知ライン５４４ｂ間の間隔が狭くなる（すなわち、変形領域５４２の一領域の厚さが薄くなる）。従って、第２タッチ検知ライン５４４ｂの電流が第１タッチ検知ライン５４４ａに出力される。よって、制御部１８０は、タッチ入力のタッチ圧力を検知することができる。つまり、第３タッチ検知ライン５４４ｃは、第１タッチ検知ライン５４４ａと共にタッチ座標を検知し、第２タッチ検知ライン５４４ｂは、第１タッチ検知ライン５４４ａと共にタッチ圧力を検知する。
【０１９６】
図８Ｂの（ａ）及び（ｂ）に示すタッチディスプレイ部５５０は、ディスプレイパネル５５１、変形領域５５２、ウィンドウ５５３及びタッチ検知部５５４を含み、ディスプレイパネル５５１は、ＴＦＴ層５５１ａ、カラーフィルタ層５５１ｂ及び偏光層５５１ｃを含む。ディスプレイパネル５５１、変形領域５５２及びウィンドウ５５３は、図８Ａに示すディスプレイパネル５４１、変形領域５４２及びウィンドウ５４３と実質的に同一である。
【０１９７】
タッチ検知部５５４は、第１〜第３タッチ検知ライン５５４ａ、５５４ｂ、５５４ｃ及び検知層５５４ｄを含む。第１タッチ検知ライン５５４ａは、カラーフィルタ層５５１ｂに形成され、第２タッチ検知ライン５５４ｂは、ウィンドウ５５３の内面に形成され、第３タッチ検知ライン５５４ｃは、ＴＦＴ層５５１ａに形成される。第１〜第３タッチ検知ライン５５４ａ、５５４ｂ、５５４ｃは、カラーフィルタ層５５１ｂ、ウィンドウ５５３及びＴＦＴ層５５１ａに導電性材料（例えば、ＩＴＯ）が蒸着されて形成されてもよい。
【０１９８】
第１タッチ検知ライン５５４ａ及び第２タッチ検知ライン５５４ｂは、電流の出力端であるタッチ出力層（Ｒｘ）として作用し、第３タッチ検知ライン５５４ｃ及び検知層５５４ｄは、電流の入力端であるタッチ入力層（Ｔｘ）として作用する。第１タッチ検知ライン５５４ａ及び第３タッチ検知ライン５５４ｃは、ユーザのタッチ入力のタッチ座標を検知する。
【０１９９】
第３タッチ検知ライン５５４ｃから出力された電流は、第１タッチ検知ライン５５４ａに出力される。また、検知層５５４ｄから出力された電流は、検知層５５４ｄの近くに配置された第１タッチ検知ライン５５４ａに出力される。
【０２００】
ウィンドウ５５３に外力が加わると、検知層５５４ｄと第２タッチ検知ライン５５４ｂ間の間隔が狭くなる（すなわち、外力により変形領域５５２の厚さが薄くなる）。従って、検知層５５４ｄの電流が第２タッチ検知ライン５５４ｂに出力される。検知層５５４ｄと第２タッチ検知ライン５５４ｂ間の間隔が狭くなるほど多くの電流が第２タッチ検知ライン５５４ｂに出力されるので、制御部１８０は、前記タッチ入力のタッチ圧力を検知することができる。
【０２０１】
次に、図９Ａ及び図９Ｂはディスプレイパネルに形成されたタッチ検知部を含むタッチディスプレイ部を示す概念図である。本実施形態によるタッチディスプレイ部は、視覚情報を出力するディスプレイパネルの内部にタッチ検知部が形成されるタイプのタッチディスプレイ部に適用することができる。
【０２０２】
図９Ａの（ａ）及び（ｂ）に示すタッチディスプレイ部５６０は、ディスプレイパネル５６１、変形領域５６２及びウィンドウ５６３を含む。ディスプレイパネル５６１は、ＴＦＴ層５６１ａ、カラーフィルタ層５６１ｂ及び偏光層５６１ｃを含み、ＬＣＤパネルで実現してもよい。ディスプレイパネル５６１、変形領域５６２及びウィンドウ５６３は、図８Ａに示すディスプレイパネル５４１、変形領域５４２及びウィンドウ５４３と実質的に同一であるので、その説明を省略する。
【０２０３】
第１タッチ検知ライン５６４ａ及び第２タッチ検知ライン５６４ｂは、カラーフィルタ層５６１ｂの一面に形成される。第１タッチ検知ライン５６４ａ及び第２タッチ検知ライン５６４ｂは、それぞれ複数の検知ラインからなり、第１タッチ検知ライン５６４ａと第２タッチ検知ライン５６４ｂとが交差する方向に形成される。第１タッチ検知ライン５６４ａと第２タッチ検知ライン５６４ｂとが交差して重なる領域には、第１タッチ検知ライン５６４ａ及び第２タッチ検知ライン５６４ｂを絶縁するための絶縁層がさらに形成されてもよい。
【０２０４】
第３タッチ検知ライン５６４ｃは、ウィンドウ５６３の内面に形成される。第１〜第３タッチ検知ライン５６４ａ、５６４ｂ、５６４ｃは、導電性材料（例えば、ＩＴＯ）の蒸着により形成されてもよい。第１タッチ検知ライン５６４ａは、電流の出力端であるタッチ出力層（Ｒｘ）として作用し、第２タッチ検知ライン５６４ｂ及び第３タッチ検知ライン５６４ｃは、電流の入力端であるタッチ入力層（Ｔｘ）として作用する。
【０２０５】
第３タッチ検知ライン５６４ｃは、変形領域５６２を介して第１タッチ検知ライン５６４ａから離隔して配置するので、第３タッチ検知ライン５６４ｃの電流が第１タッチ検知ライン５６４ａに出力されない。第１タッチ検知ライン５６４ａ及び第２タッチ検知ライン５６４ｂは、ユーザのタッチ入力のタッチ座標を検知する。
【０２０６】
また、ウィンドウ５６３に外力が加わると、第１タッチ検知ライン５６４ａと第３タッチ検知ライン５６４ｃ間の間隔が狭くなる（すなわち、変形領域５６２の厚さが薄くなる）。従って、第３タッチ検知ライン５６４ｃの電流が第１タッチ検知ライン５６４ａを介して出力され、前記タッチ入力のタッチ圧力を検知することができる。
【０２０７】
図９Ｂの（ａ）及び（ｂ）に示すタッチディスプレイ部５７０は、ディスプレイパネル５７１、変形領域５７２及びウィンドウ５７３を含むが、これらは図９Ａに示すディスプレイパネル５６１、変形領域５６２及びウィンドウ５６３と実質的に同一であるので、その説明を省略する。
【０２０８】
本実施形態によるタッチ検知部５７４は、第１〜第３タッチ検知ライン５７４ａ、５７４ｂ、５７４ｃ及び検知層５７４ｄを含む。第１〜第３タッチ検知ライン５７４ａ、５７４ｂ、５７４ｃは、図９Ａに示す第１〜第３タッチ検知ライン５６４ａ、５６４ｂ、５６４ｃと実質的に同一であるので、その説明を省略する。第３タッチ検知ライン５７４ｃは、電流の出力端であるタッチ出力層（Ｒｘ）として作用する。
【０２０９】
検知層５７４ｄは、ディスプレイパネル５７１の偏光層５７１ｃの上方に配置される。検知層５７４ｄは、ベース基板上に導電性材料（例えば、ＩＴＯ）が蒸着されて形成されてもよい。検知層５７４ｄは、電流の入力端であるタッチ入力層（Ｔｘ）として作用する。
【０２１０】
第１タッチ検知ライン５７４ａ及び第２タッチ検知ライン５７４ｂは、タッチ入力のタッチ座標を検知する。第３タッチ検知ライン５７４ｃと検知層５７４ｄとは、変形領域５７２を介して離隔して配置される。ウィンドウ５７３に加わる外力により変形領域５７２の厚さが薄くなると、第３タッチ検知ライン５７４ｃと検知層５７４ｄ間の間隔が狭くなる。検知層５７４ｄの電流が第３タッチ検知ライン５７４ｃに出力され、それにより、制御部１８０は前記タッチ入力のタッチ圧力を検知することができる。
【０２１１】
次に、図１０Ａ及び図１０ＢはＯＬＥＤパネルを含むタッチディスプレイ部を説明するための図１ＤのＡ−Ａ線断面図である。本実施形態によるタッチディスプレイ部は、タッチ検知部がＯＬＥＤパネルの内部に形成されるタイプのタッチディスプレイ部に適用することができる。
【０２１２】
図１０Ａの（ａ）及び（ｂ）に示すタッチディスプレイ部５８０は、ディスプレイパネル５８１、変形領域５６２、ウィンドウ５６３及びタッチ検知部５６４を含む。本実施形態によるディスプレイパネル５８１は、ＯＬＥＤを含んで視覚情報を出力するディスプレイパネルである。ディスプレイパネル５８１は、ＴＦＴ層５８１ａ、有機物質層５８１ｂ及びカラーフィルタ層５８１ｃを含む。有機物質層５８１ｂは、封止技術を用いてＯＬＥＤ有機物質層への外部接触を遮断する工程で形成される。
【０２１３】
本実施形態によるタッチディスプレイ部５８０のディスプレイパネル５８１を除く構成要素は、図９Ａに示すタッチディスプレイ部５６０の構成要素と実質的に同一である。
【０２１４】
本実施形態によれば、第１タッチ検知ライン５６４ａ及び第２タッチ検知ライン５６４ｂはタッチ座標を検知し、第３タッチ検知ライン５６４ｃ及び第１タッチ検知ライン５６４ａはタッチ圧力を検知する。
【０２１５】
図１０Ｂの（ａ）及び（ｂ）に示すタッチディスプレイ部５９０は、ディスプレイパネル５９１、変形領域５７２、ウィンドウ５７３及びタッチ検知部５７４を含む。本実施形態によるディスプレイパネル５９１は、ＯＬＥＤを含んで視覚情報を出力するディスプレイパネルである。ディスプレイパネル５９１は、ＴＦＴ層５９１ａ、有機物質層５９１ｂ及びカラーフィルタ層５９１ｃを含む。有機物質層５９１ｂは、封止技術を用いてＯＬＥＤ有機物質層への外部接触を遮断する工程で形成される。
【０２１６】
本実施形態によるタッチディスプレイ部５９０のディスプレイパネル５９１を除く構成要素は、図９Ｂに示すタッチディスプレイ部５７０の構成要素と実質的に同一である。
【０２１７】
本実施形態によれば、第１タッチ検知ライン５７４ａ及び第２タッチ検知ライン５７４ｂはタッチ座標を検知し、第３タッチ検知ライン５７４ｃ及び検知層５７４ｄはタッチ圧力を検知する。
【０２１８】
次に、図１１はタッチ座標及びタッチ圧力を検知して制御命令を生成する制御方法を示す概念図である。図１１の（ａ）を参照すると、タッチディスプレイ部５１０へのユーザのタッチ入力のタッチ圧力が第１基準圧力以下の場合、タッチ圧力が検知されず、前記タッチ入力のタッチ座標に対応する第１制御命令を生成する。
【０２１９】
図１１の（ｂ）を参照すると、タッチディスプレイ部５１０へのユーザのタッチ入力のタッチ圧力が第１基準圧力より高く第２基準圧力以下の場合、前記タッチ入力のタッチ時間を検知する。すなわち、前記タッチ入力が継続する場合、制御部１８０は、それをロングタッチ方式のタッチ入力として検知する。よって、制御部１８０は、前記タッチ圧力とは関係なく、ロングタッチ方式のタッチ入力に基づく第２制御命令を生成する。
【０２２０】
図１１の（ｃ）を参照すると、タッチディスプレイ部５１０へのユーザのタッチ入力のタッチ圧力が第２基準圧力より高い場合、制御部１８０は、前記タッチ入力のタッチ圧力及びタッチ座標に基づいて第３制御命令を生成する。
【０２２１】
すなわち、制御部１８０は、予め設定された第２基準圧力より高いタッチ圧力が検知された場合にのみユーザの意思による押圧入力と判断し、前記外力に対応する制御命令を生成する。つまり、タッチ、ロングタッチ入力及びユーザの意思による押圧入力を区別し、より正確な制御命令を生成することができる。
【０２２２】
タッチ検知部５１４は、前記第２基準圧力以上の圧力がウィンドウ５１３に加わったと検知された場合、その外力による第１検知層５１４ａの変形に基づいて、前記タッチ圧力を段階的に検知することができる。例えば、タッチ検知部５１４は、第１〜第３タッチ圧力を区別して検知することができる。よって、制御部１８０は、特定のタッチ座標上に加わったタッチ入力の異なるタッチ圧力に基づいて異なる機能を実行することができる。
【０２２３】
図１２Ａは変形領域の空気が流出入する貫通孔を示す分解図であり、図１２Ｂは図１２Ａの貫通孔を示す断面図である。
【０２２４】
図１２Ａ及び図１２Ｂを参照すると、フロントケース１０１、より具体的にはタッチディスプレイ部５１０に近い領域に貫通孔１０１ｂが形成される。前記端末機本体内の部品空間に形成された貫通孔１０１ｂにより、変形領域５１２が外部に連通する。
【０２２５】
変形領域５１２が気体からなる場合、ウィンドウ５１３に外力が作用するとウィンドウ５１３が変形する。ウィンドウ５１３は変形し、ディスプレイパネル５１１は変形しない場合、変形領域５１２の気体は貫通孔１０１ｂから外部に流出する。これにより、ユーザの圧力によるウィンドウ５１３の変形が容易になり、前記タッチ検知部のうち前記検知層の変形（及び移動）が可能になる。
【０２２６】
タッチディスプレイパネル５１０とフロントケース１０１との間には、チャネルフィルム７００が形成されてもよい。チャネルフィルム７００は、タッチディスプレイパネル５１０の変形領域５１２との空間を貫通孔１０１ｂに連通させる。その結果、前記空間に空気が通るので、変形した変形領域５１２を元通りに復元することができる。つまり、ウィンドウ５１３に加わるタッチ圧力を受けることができる状態となる。また、前記気体などの流動が自由になり、前記変形により発生するムラを防止及び除去することができる。
【０２２７】
チャネルフィルム７００は、薄いシート状に形成されてもよく、変形領域５１２に形成されてもよい。チャネルフィルム７００は、ベース７１０、ホール７２０及びチャネル部７３０を含んでもよい。例えば、チャネルフィルム７００は、第１検知層５１４ａの背面に形成されてもよいが、これに限定されるものではない。すなわち、チャネルフィルム７００は、変形領域５１２に連通させることができれば、タッチディスプレイ部５１０のいずれの構成要素に貼り付けてもよい。
【０２２８】
ベース７１０は、貫通孔１０１ｂに向かって延びるように形成されてもよい。ベース７１０は、合成樹脂、例えばＰＥＴ（PolyEthylene Terephthalate）、ＰＰ（PolyPropylene）、ＰＥ（PolyEthylene）などで形成されてもよい。ベース７１０は、外部から見えないように透光性に形成されてもよく、縁部領域Ｓの色と同じ色に形成されてもよい。
【０２２９】
ベース７１０は、貫通孔１０１ｂに対応する部分にホール７２０が形成される。ホール７２０は、ベース７１０の延長方向の一端部に隣接して形成されてもよい。ホール７２０は、貫通孔１０１ｂを覆うことができるように、貫通孔１０１ｂより大きく形成されることが好ましい。
【０２３０】
チャネル部７３０は、ベース７１０の他端部からホール７２０に向かって延びるように形成される。チャネル部７３０は、ベース７１０におけるウィンドウ５１３に対向する面が陰刻されて（すなわち、リセスされて）形成されてもよい。チャネル部７３０は、ウィンドウ５１３の変形からの復元がより迅速に行われるように、複数で形成されてもよい。
【０２３１】
チャネルフィルム７００は、接着フィルム７０１上に貼り付けられてもよい。接着フィルム７０１は、空気が通る多孔性物質で形成されてもよい。
【０２３２】
フロントケース１０１には、貫通孔１０１ｂを覆うように、多孔性物質で形成された通気パッド７０２が配置されてもよい。通気パッド７０２は、空気が通過するように形成されると共に、ディスプレイ５１１とウィンドウ５１３との間の空間、すなわち変形領域５１２への異物の侵入を防止するように形成される。通気パッド７０２としては、スポンジなどを用いることができる。
【０２３３】
通気パッド７０２の一面に接着層７０３が形成され、通気パッド７０２がフロントケース１０１の外面に貼り付けられるようにしてもよい。ここで、接着層７０３は、空気が通るように、貫通孔１０１ｂに対応する部分を除いて形成される。ウィンドウ５１３を変形させる外力が解除され、ウィンドウ５１３の形状が復元されると、外部の空気が通気パッド７０２を通過して変形領域５１２に流入する。
【０２３４】
通気パッド７０２により、外部の空気が変形領域５１２に流入する際に汚染物質が共に流入することを防止することができる。
【０２３５】
これにより、変形領域５１２の変形がより自由になり、変形領域５１２の復元が容易になるので、変形領域５１２によるタッチ圧力の検知品質が向上する。
【０２３６】
以上、静電容量の変化を用いてタッチ座標及びタッチ圧力を検知するタッチディスプレイ部の構造について説明した。本発明の実施形態によれば、前記タッチ座標及び前記タッチ圧力に基づいて前記移動端末機を様々な方法で制御することができる。以下、本発明による移動端末機の制御方法について説明する。なお、前記移動端末機の端末機本体に取り付けられて画面情報を出力したりタッチ入力を受信したりする、前記移動端末機の前面の一部をディスプレイ部１５１という。すなわち、前記タッチディスプレイ部はディスプレイ部１５１と実質的に同一の構成要素に該当する。
【０２３７】
図１３Ａは本発明の一実施形態による移動端末機の制御方法を説明するためのフローチャートである。
【０２３８】
図１３Ａを参照すると、タッチディスプレイ部５１０は、ユーザのタッチ入力を受信する（Ｓ１０）。前記ユーザのタッチ入力とは、ウィンドウ５１３へのタッチをいう。次に、制御部１８０は、タッチ検知部５１４により前記タッチ入力のタッチ座標を検知する（Ｓ２０）。また、制御部１８０は、タッチ検知部５１４により前記タッチ入力のタッチ圧力を検知する（Ｓ３０）。前記タッチ圧力を検知するステップＳ３０は、前記タッチ入力（外力）によるタッチディスプレイ部５１０の一領域の変形を検知するステップに相当する。すなわち、制御部１８０は、タッチディスプレイ部５１０の一部の構成要素の変形により出力される電流の変化に基づいて、前記タッチ入力のタッチ圧力を算出することができる。
【０２３９】
ここで、前記タッチ座標を検知するステップＳ２０及び前記タッチ圧力を検知するステップＳ３０は、実質的に同時に行うことができる。つまり、ステップＳ２０が先に行われてもよく、ステップＳ３０が先に行われてもよく、ステップＳ２０とステップＳ３０が同時に行われてもよい。
【０２４０】
次に、制御部１８０は、前記タッチ座標及び前記タッチ圧力の変化に基づいて制御命令を生成し（Ｓ４０）、前記制御命令に対応する所定の機能を実行させる（Ｓ５０）。
【０２４１】
以下、前記タッチ座標及び前記タッチ圧力に基づく制御命令による移動端末機の制御方法について具体的に説明する。
【０２４２】
図１３Ｂ〜図１３Ｆはタッチ座標及びタッチ圧力に基づく移動端末機の制御方法を示す概念図である。
【０２４３】
図１３Ｂは地図画面３００を出力するディスプレイ部１５１を示す。図１３Ｂの（ａ）を参照すると、制御部１８０は、ディスプレイ部１５１へのタッチ入力を検知する。制御部１８０は、前記タッチ入力のタッチ座標及びタッチ圧力を検知する。以下、前記タッチ入力によりタッチ座標及びタッチ圧力を検知して画面情報を出力し、前記タッチ入力により制御されるディスプレイパネルを、ディスプレイ部１５１と称して説明する。
【０２４４】
図１３Ｂの（ｂ）を参照すると、制御部１８０は、前記タッチ入力により第１タッチ座標及び第１タッチ圧力を検知する。図１３Ｂの（ｃ）を参照すると、制御部１８０は、前記第１タッチ座標に対応する地図画面３００の一領域を中心として前記第１タッチ圧力に対応する比率で拡大して出力するように、ディスプレイ部１５１を制御する。すなわち、前記ユーザのタッチ入力が行われた領域が所定の比率で拡大されて出力される。
【０２４５】
そして、制御部１８０は、前記タッチ入力により第１タッチ座標及び第２タッチ圧力を検知する。前記第２タッチ圧力は前記第１タッチ圧力より高い圧力であると定義する。すなわち、制御部１８０は、ディスプレイ部１５１の一部の構成要素の変形を検知し、前記第１タッチ圧力及び前記第２タッチ圧力を算出する。ここで、前記第２タッチ圧力に対応するディスプレイ部１５１の一部の構成要素の変形の程度のほうが前記第１タッチ圧力に対応するディスプレイ部１５１の一部の構成要素の変形の程度より大きい。
【０２４６】
図３Ａ、図３Ｂ及び図１３Ｂを参照すると、ディスプレイパネル５１１が地図画面３００を出力し、ユーザのタッチ入力によりウィンドウ５１３が変形すると、第１検知層５１４ａ及び第２検知層５１４ｂが前記タッチ入力のタッチ座標を検知する。
【０２４７】
また、図１３Ｂの（ａ）〜（ｃ）を参照すると、前記タッチ入力（ユーザの外力）が次第に増加し、それによりウィンドウ５１３、第２検知層５１４ｂ及び第１検知層５１４ａと第３検知層５１４ｃとが次第に近くなる。図１３Ｂの（ａ）から（ｃ）へ行くほど、第３検知層５１４ｃから第１検知層５１４ａに出力される電流の量が増加するので、次第に高いタッチ圧力が検知される。よって、第１検知層５１４ａと第３検知層５１４ｃ間の間隔を狭くする外力が加わると、制御部１８０は、前記タッチ座標に対応する地図画面３００の特定領域を中心として地図画面３００を拡大して出力するように、ディスプレイパネル５１１を制御する。
【０２４８】
すなわち、制御部１８０は、前記第１タッチ座標に対応する地図画面３００の一領域をより高い比率で拡大して出力するようにディスプレイ部１５１を制御し、ディスプレイ部１５１に加わるタッチ圧力が高くなるほど、ユーザの指がタッチした領域をより大きく拡大して出力するようにディスプレイ部１５１を制御する。
【０２４９】
また、制御部１８０は、ディスプレイ部１５１に加わるタッチ圧力が低くなると、拡大された地図画面３００を次第に縮小して出力するようにディスプレイ部１５１を制御する。
【０２５０】
つまり、ユーザは、画面情報を出力する際に、１本の指を用いて画面情報の所望の領域を中心に拡大又は縮小して出力することができる。
【０２５１】
図１３Ｃはタッチ入力のタッチ圧力に基づいてロックモードを解除する制御方法の一例を示す概念図である。ここで、ロックモードとは、所定の機能を除く残りの機能の活性化が制限される状態をいい、制御部１８０は、前記ロックモードで所定の解除情報が入力されると、前記ロックモードを解除するように前記移動端末機を制御する。
【０２５２】
本実施形態によれば、タッチ入力の所定のタッチ座標及びタッチ圧力を、前記ロックモードを解除するための解除情報として設定することができる。図１３Ｃの（ａ）を参照すると、前記解除情報は、ディスプレイ部１５１上の左側上部に加わる第１タッチ圧力、左側下部に加わる第２タッチ圧力、及び右側に加わる第３タッチ圧力を含んでもよい。前記第１〜第３タッチ圧力は、実質的に同一又は異なる外力により検知される。また、前記解除情報は、前記タッチ座標に関する情報を含まなくてもよい。
【０２５３】
例えば、図３Ａ及び図３Ｂをさらに参照すると、前記ロックモードを解除するための解除情報は、区別されるタッチ座標及び区別されるタッチ圧力を含む複数のタッチ入力と、複数のタッチ入力の順序情報とから構成されてもよい。制御部１８０は、第１検知層５１４ａ及び第２検知層５１４ｂによりタッチ入力が順序に対応するタッチ座標を含むか否かを判断し、第１検知層５１４ａ及び第３検知層５１４ｃにより前記タッチ入力が前記順序に対応するタッチ圧力を含むか否かを判断する。ただし、前記タッチ座標の判断と前記タッチ圧力の判断とは、その順序に制限はない。
【０２５４】
また、前記解除情報は、前記順序に関する情報を含まなくてもよい。この場合、制御部１８０は、ウィンドウ５１１の一領域へのタッチ入力のタッチ座標に対応するタッチ圧力が所定の解除情報に対応するか否かを判断する。
【０２５５】
これにより、図１３Ｃの（ｂ）に示すように、制御部１８０は、前記所定のタッチ座標と前記タッチ圧力が検知されると、前記ロックモードを解除するように前記移動端末機を制御する。
【０２５６】
本実施形態によれば、前記解除情報がディスプレイ部１５１を押すユーザの力により設定されるので、他人はユーザの手の動きによりディスプレイ部に加わるタッチ圧力を認識することができない。従って、解除情報のセキュリティ性が向上する。
【０２５７】
図１３Ｄはタッチ入力のタッチ圧力に基づいてロックモードを解除する制御方法の他の例を示す概念図である。図１３Ｄの（ａ）及び（ｂ）を参照すると、分割されるように定義されたディスプレイ部１５１上の各領域に対応するタッチ圧力をパスワードとして設定することができる。例えば、４つに分割されたディスプレイ部１５１上の各領域に異なるタッチ圧力を対応させることができる。
【０２５８】
同図において示す数字は第１〜第４タッチ圧力に対応し、第１〜第４タッチ圧力は異なる外力によりディスプレイ部１５１の一部の構成要素の変形程度が異なるケースに該当する。例えば、前記第１タッチ圧力は、ユーザにより圧力が加えられていないと判断される、タッチ座標のみ検知される状態のタッチ入力に対応する。
【０２５９】
つまり、ユーザは各領域に対応するタッチ圧力を有するタッチ入力を行ってロックモードを解除することができる。この場合、前記各領域に対応するタッチ圧力の入力は、その入力順序に関係なく行われてもよい。また、実質的に同一のタッチ圧力を異なる領域に対応させてパスワードを設定してもよい。
【０２６０】
図１３Ｅはユーザのタッチ圧力により画面情報を変更する制御方法を示す概念図である。図１３Ｅを参照すると、ディスプレイ部１５１上に出力される画面情報は、ユーザのタッチ入力を受信してディスプレイ部１５１上の他の領域に移動するように制御されるコンテンツを含む。
【０２６１】
図１３Ｅの（ａ）及び（ｂ）を参照すると、制御部１８０は、コンテンツ３０１へのフリック方式のタッチ入力によりタッチ座標が検知されると、コンテンツ３０１の出力領域を変更する。同図に示すように、コンテンツ３０１がボールのグラフィックイメージの場合、ディスプレイ部１５１は、図１３Ｅの（ａ）に示すように、前記タッチ入力に基づいて前記ボールのグラフィックイメージが飛んでいく画面情報を出力することができる。
【０２６２】
また、制御部１８０は、前記タッチ入力によりタッチ座標及びタッチ圧力が検知されると、前記タッチ座標に基づいてコンテンツを選択し、前記タッチ圧力に基づいて前記コンテンツを移動させて出力するように制御する。前記コンテンツの移動程度は前記タッチ圧力に対応する。すなわち、制御部１８０は、図１３Ｅの（ｂ）に示すように、前記タッチ圧力が高くなるほど、前記ボールのグラフィックイメージがより遠くに飛んでいく画面情報を出力することができる。
【０２６３】
例えば、図３Ａ及び図３Ｂを参照すると、制御部１８０は、前記タッチ入力により第１検知層５１４ａと第３検知層５１４ｃとが近づくことにより出力される電流に基づいて、前記ボールの出力領域の変更程度を決定する。また、制御部１８０は、第１検知層５１４ａ及び第２検知層５１４ｂにより前記タッチ入力のタッチ座標が変化し続ける場合、前記ボールの出力領域を変更するようにディスプレイ部１５１を制御する。
【０２６４】
図１３Ｆは検知されるタッチ圧力の変化に基づいて制御命令を生成する制御方法を示す概念図である。
【０２６５】
特に、図１３Ｆの（ａ）は電子書籍ページ３８０を出力するディスプレイ部１５１を示す。電子書籍ページ３８０は、順に並べられたページ情報を含む。ディスプレイ部１５１は、前記電子書籍の複数のページのうち１ページ又は２ページを出力する。
【０２６６】
また、図１３Ｆの（ｂ）に示すように、制御部１８０は、一方向に移動しながら行われる連続的なタッチ入力に基づいて、前のページ又は次のページを出力するようにディスプレイ部１５１を制御する。すなわち、制御部１８０は、タッチ入力に基づいてページをめくるように制御する。より具体的には、制御部１８０は、タッチ入力に基づいて、順に並べられたページ情報のうち現在のページの次のページ情報を出力するようにディスプレイ部１５１を制御する。前記順に並べられたページは順に並べられたフレームに対応すると定義する。
【０２６７】
また、制御部１８０は、前記タッチ圧力が検知されると、現在出力されているページを基準として前記タッチ圧力に対応して出力するページ情報を決定する。すなわち、制御部１８０は、前記検知されたタッチ圧力に基づいて、現在のフレームから出力されるフレームを決定することができる。より具体的には、制御部１８０は、前記タッチ圧力が高いほど、現在のフレームと出力されるフレーム間の間隔を増加させることができる。
【０２６８】
例えば、現在第５ページが出力されている状態でタッチ圧力を含むタッチ入力に基づいて第７ページが出力されるようにすることができる。図１３Ｆの（ｂ）及び（ｃ）に示すように、前記タッチ入力より強いタッチ入力が行われると、第１０ページが出力されるようにすることができる。
【０２６９】
例えば、図３Ａ及び図３Ｂを参照すると、制御部１８０は、前記タッチ入力により第１検知層５１４ａと第３検知層５１４ｃとが近づくことにより出力される電流に基づいて、移動する前記フレームの量を決定する。本実施形態によれば、第１検知層５１４ａと第３検知層５１４ｃ間の間隔が狭くなるほど（すなわち、タッチ圧力が高くなるほど）、多くのページをめくるように制御することができる。また、制御部１８０は、前記タッチ入力の移動により検知されるタッチ座標が変化し続ける場合、前記タッチ圧力に対応するページを出力するようにディスプレイ部１５１を制御する。
【０２７０】
さらに、図１３Ｆの（ｃ）及び（ｄ）を参照すると、制御部１８０は、所定の圧力以上のタッチ圧力が検知されると、最後のフレームに対応する最後のページを出力するようにディスプレイ部１５１を制御する。つまり、制御部１８０は、連続して並べられた情報を選択的に受信することができる。
【０２７１】
これにより、前記画面情報に含まれるコンテンツをユーザが加える力に対応して変更することができるので、タッチ入力により検知されるユーザの意図をより正確に把握して移動端末機を制御することができる。
【０２７２】
図１４Ａはタッチ圧力が異なる複数のタッチ入力を用いた移動端末機の制御方法を示すフローチャートである。ディスプレイ部１５１は、異なる領域への第１タッチ入力及び第２タッチ入力を受信する（Ｓ２１）。ディスプレイ部１５１は、前記第１タッチ入力の第１タッチ座標及び前記第２タッチ入力の第２タッチ座標を検知する（Ｓ２２）。ただし、前記第１タッチ入力及び第２タッチ入力を受信するステップＳ２１と前記第１タッチ座標及び第２タッチ座標を検知するステップＳ２２とは、実質的に同一のステップからなるようにしてもよく、ステップＳ２１とステップＳ２２の順序が変わってもよい。制御部１８０は、前記第１タッチ座標に対応する第１コンテンツ及び前記第２タッチ座標に対応する第２コンテンツを選択する（Ｓ２３）。ここで、前記第１コンテンツ及び第２コンテンツは、ディスプレイ部１５１上に出力される画面情報に含まれ、タッチ入力を受信するように形成されるグラフィックイメージである。
【０２７３】
ディスプレイ部１５１は、前記第１タッチ入力の第１タッチ圧力及び前記第２タッチ入力の第２タッチ圧力を検知する（Ｓ２４）。制御部１８０は、前記第１タッチ圧力と前記第２タッチ圧力とを比較し、前記第１コンテンツと前記第２コンテンツの少なくとも一方が変更されるように制御する（Ｓ５１）。ここで、前記第１コンテンツと前記第２コンテンツの少なくとも一方の変更は、コンテンツの出力位置の移動、コンテンツの保存及び削除、コンテンツの保存空間の変更などを含む。
【０２７４】
以下、複数のタッチ入力に基づく移動端末機の制御方法について具体的に説明する。
【０２７５】
図１４Ｂ〜図１４Ｇは複数のタッチ入力に基づく移動端末機の制御方法を示す概念図である。
【０２７６】
図１４Ｂの（ａ）は第１アイコン３２１及び第２アイコン３２２を含む画面情報３２０を出力するディスプレイ部１５１を示す。例えば、画面情報３２０はホーム画面ページ（home screen page）であってもよい。第１アイコン３２１は、複数のアプリケーションに対応する複数のアイコンを含むフォルダアイコンであり、第２アイコン３２２は、アプリケーションに対応する実行アイコンである。第１アイコン３２１にタッチ入力が行われると、前記第１アイコンに含まれる複数のアプリケーションに対応する実行アイコンが出力され、第２アイコン３２２にタッチ入力が行われると、前記対応するアプリケーションが実行されて実行画面が出力される。
【０２７７】
制御部１８０は、前記第１タッチ入力の第１タッチ座標が第１アイコン３２１に対するものであると第１アイコン３２１を選択し、前記第２タッチ入力の第２タッチ座標が第２アイコン３２２に対するものであると第２アイコン３２２を選択する。
【０２７８】
制御部１８０は、第１アイコン３２１へのタッチ入力の第１タッチ圧力及び第２アイコン３２２へのタッチ入力の第２タッチ圧力を検知し、それらを比較する。例えば、前記第１タッチ圧力のほうが前記第２タッチ圧力より高い場合、図１４Ｂの（ｂ）に示すように、制御部１８０は、第２アイコン３２２を第１アイコン３２１のフォルダに移動させるようにディスプレイ部１５１を制御することができる。よって、ユーザは選択されたコンテンツを所望の領域に移動させることができる。
【０２７９】
また、制御部１８０は、より高い前記第１タッチ入力が行われた第１アイコン３２１を第２アイコン３２２の領域に移動させることができる。すなわち、制御部１８０は、前記タッチ圧力の比較により、ユーザの設定に基づいて第１アイコン３２１と第２アイコン３２２の少なくとも一方を変更することができる。
【０２８０】
図３Ａ、図３Ｂ及び図５Ａを参照すると、ウィンドウ５１３の異なる領域に前記第１タッチ入力と前記第２タッチ入力が行われた場合、制御部１８０は、第１検知層５１４ａ及び第２検知層５１４ｂにより前記第１タッチ座標と前記第２タッチ座標を認識し、第１検知層５１４ａ及び第３検知層５１４ｃに基づいて、前記第１タッチ座標領域と前記第２タッチ座標領域におけるウィンドウ５１３及び第１検知層５１４ａの移動程度で検知される２つのタッチ圧力を認識することができる。
【０２８１】
また、制御部１８０は、第１検知層５１４ａと第３検知層５１４ｃ間の間隔に応じた電流値による各タッチ圧力に前記第１タッチ座標及び前記第２タッチ座標に対応する各補償数値を適用した補償圧力を前記第１タッチ圧力及び前記第２タッチ圧力として形成する。つまり、前記第１タッチ圧力及び前記第２タッチ圧力は、ユーザが実際に意図した前記第１タッチ入力と前記第２タッチ入力の圧力差をより正確に反映することができる。
【０２８２】
図１４Ｃ及び図１４Ｄを参照して区別されるタッチ圧力により異なる制御命令を生成する方法について説明する。
【０２８３】
図１４Ｃは区別されるタッチ圧力により異なる制御命令を生成する方法の一例を示す概念図である。
【０２８４】
図１４Ｃの（ａ）は区分される第１出力領域３３０ａ及び第２出力領域３３０ｂを含む画面情報３３０を出力するディスプレイ部１５１を示す。例えば、第１出力領域３３０ａはテキストやイメージを出力するメモアプリケーションの実行画面に対応し、第２出力領域３３０ｂは複数のアイコンを含むホーム画面ページに対応する。
【０２８５】
図１４Ｃの（ｂ）に示すように、第２出力領域３３０ｂにタッチ入力が行われると、制御部１８０は、前記タッチ入力のタッチ座標及びタッチ圧力を検知する。前記タッチ座標に基づいて第２出力領域３３０ｂに含まれるコンテンツ（アイコン）が選択される。制御部１８０は、前記タッチ圧力が検知されない場合、前記コンテンツ（アイコン）に対応するアプリケーションを実行することができる。
【０２８６】
制御部１８０は、所定の基準圧力に対応するタッチ圧力が検知されると、前記基準圧力が検知されなくなっても、第１出力領域３３０ａを制御することができる。また、制御部１８０は、前記所定の基準圧力に対応するタッチ圧力が再び検知されると、前記タッチ入力を用いて第２出力領域３３０ｂを制御することができる。ただし、これに限定されるものではなく、前記所定の基準圧力に対応するタッチ圧力が検知されるタッチ入力によってのみ第１出力領域３３０ａを制御するように設定することもできる。
【０２８７】
さらに、制御部１８０は、前記タッチ入力のタッチ圧力が検知されると、前記タッチ入力に基づく第２出力領域３３０ｂの制御を制限する。制御部１８０は、前記タッチ入力のタッチ圧力が検知されると、前記タッチ入力を用いて第１出力領域３３０ａを制御する。
【０２８８】
例えば、制御部１８０は、前記タッチ入力のタッチ圧力が検知されると、前記タッチ入力のタッチ座標に対応するイメージを第１出力領域３３０ａに出力するようにディスプレイ部１５１を制御する。
【０２８９】
すなわち、図１４Ｃの（ｃ）に示すように、制御部１８０は、前記タッチ入力のタッチ圧力が検知されると、第２出力領域３３０ｂが第１出力領域３３０ａの入力欄として機能するように制御することができる。
【０２９０】
図１４Ｄは区別されるタッチ圧力により異なる制御命令を生成する方法の他の例を示す概念図である。
【０２９１】
図１４Ｄの（ａ）は区分される第１出力領域３３１ａ及び第２出力領域３３１ｂを含む画面情報３３１を出力するディスプレイ部１５１を示す。例えば、第１出力領域３３１ａはウェブページに対応し、第２出力領域３３１ｂはメッセージアプリケーションの実行画面に対応する。制御部１８０は、第２出力領域３３１ｂに表示された仮想キーボードへのタッチ入力に基づいて、入力された文字を第２出力領域３３１ｂに出力するようにディスプレイ部１５１を制御する。
【０２９２】
この場合、制御部１８０は、第２出力領域３３１ｂへのタッチ入力のタッチ座標及びタッチ圧力を認識することができる。すなわち、制御部１８０は、前記タッチ座標に対応する仮想キーボードの文字を出力するようにディスプレイ部１５１を制御する。
【０２９３】
制御部１８０は、前記タッチ入力のタッチ圧力が、ユーザにより意図的に加えられた程度ではない場合、すなわち、図１１において前記タッチ入力が前記第２基準圧力未満の外力に対応すると判断された場合、前記タッチ入力により第２出力領域３３１ｂを変更する。つまり、図１４Ｄの（ｂ）に示すように、第１出力領域３３１ａは前記タッチ入力により制御されない。
【０２９４】
また、図１４Ｄの（ｃ）及び（ｄ）を参照すると、制御部１８０は、前記タッチ入力が前記第２基準圧力以上の外力に対応すると判断された場合、前記タッチ入力に基づいて第１出力領域３３１ａを制御する。
【０２９５】
具体的には、制御部１８０は、前記タッチ座標に対応するポインタ４０１を第１出力領域３３１ａに出力するようにディスプレイ部１５１を制御する。第１出力領域３３１ａに出力されるポインタ４０１の位置は、第２出力領域３３１ｂ上でのタッチ座標に対応するようにしてもよい。
【０２９６】
制御部１８０は、前記タッチ入力の移動により変更される前記タッチ座標に基づいてポインタ４０１の位置を移動させるようにディスプレイ部１５１を制御する。前記タッチ座標が変更される間（すなわち、連続的なタッチ入力が行われる間）、前記タッチ圧力が所定の圧力以上となるように維持しなければならないわけではない。
【０２９７】
ここで、第１出力領域３３１ａを制御するためのタッチ圧力を第１タッチ圧力と定義する。制御部１８０は、ポインタ４０１が出力される間に前記第１タッチ圧力より高い第２タッチ圧力が認識されると、ポインタ４０１に対応して第１出力領域３３１ａに出力されるコンテンツを選択することができる。例えば、前記第２タッチ圧力を含む第２出力領域３３１ｂ上のタッチ入力に基づいて、前記コンテンツにリンクされた他の画面情報を第２出力領域３３１ｂに出力するようにディスプレイ部１５１を制御することができる。
【０２９８】
図３Ａ及び図３Ｂを参照すると、前記タッチ入力によりタッチ座標を認識し、前記タッチ座標が第１出力領域３３１ａと第２出力領域３３１ｂのいずれの領域に対応するかを判断する。前記タッチ座標が第２出力領域３３１ｂに含まれると、前記タッチ入力のタッチ圧力を検知し、第３検知層５１４ｃに近づくように移動する第１検知層５１４ａに基づいて前記タッチ圧力が所定の基準圧力以上であると判断されると、制御部１８０は、第１出力領域３３１ａにポインタ４０１を出力するようにディスプレイ部１５１を制御する。
【０２９９】
図１４Ｅはウォッチ型の移動端末機２００におけるタッチ入力を用いた制御方法を示す概念図である。図１４Ｅの（ａ）に示すように、ウォッチ型の移動端末機２００は、第１ディスプレイ部２５１ａを備える本体と、ユーザの手首に着用可能に構成されて第２ディスプレイ部２５１ｂを備えるバンドとを含む。第１ディスプレイ部２５１ａは、ユーザのタッチ入力を受信して移動端末機２００を制御する。第２ディスプレイ部２５１ｂは、所定の画面情報を出力するようにしてもよい。例えば、第２ディスプレイ部２５１ｂは、特定のアプリケーションに対応するアイコンなどを出力するようにしてもよい。第２ディスプレイ部２５１ｂは、ユーザのタッチ入力を受信するように構成されてもよいが、これに限定されるものではない。
【０３００】
制御部１８０は、第１ディスプレイ部２５１ａへのタッチ入力に基づいて第１ディスプレイ部２５１ａに出力される画面情報を制御する。ただし、図１４Ｅの（ｂ）に示すように、制御部１８０は、前記タッチ入力によりタッチ圧力が検知されると、第１ディスプレイ部２５１ａへのタッチ入力に基づいて第２ディスプレイ部２５１ｂを制御することができる。制御部１８０は、前記タッチ入力のタッチ圧力が検知されると、前記タッチ入力のタッチ座標に基づいて第２ディスプレイ部２５１ｂ上の１つのアイコンを選択することができる。
【０３０１】
また、第２ディスプレイ部２５１ｂに出力されたアイコンが選択されると、制御部１８０は、前記アイコンに対応するアプリケーションの実行画面を第１ディスプレイ部２５１ａに出力することができる。
【０３０２】
これにより、前記ユーザの手首に固定するための構造にタッチセンサを備えなくてもよく、ウォッチ型の移動端末機２００の使用中にタッチが困難な場合、前記本体の第１ディスプレイ部２５１ａへのタッチ入力により前記バンドの第２ディスプレイ部２５１ｂを制御することができる。
【０３０３】
図１４Ｆは区別される第１ディスプレイ部１５１’ａ及び第２ディスプレイ部１５１’ｂを含む移動端末機１００’におけるタッチ入力のタッチ圧力に基づく制御方法を示す概念図である。
【０３０４】
移動端末機１００’は、互いに移動可能に連結される第１本体及び第２本体を含み、区別される第１ディスプレイ部１５１’ａ及び第２ディスプレイ部１５１’ｂを含む。すなわち、前記第１本体は第１ディスプレイ部１５１’ａを含み、前記第２本体は第２ディスプレイ部１５１’ｂを含む。前記第１本体と前記第２本体とは、互いに摺動可能に連結されてもよく、折り畳み可能に連結されてもよい。
【０３０５】
制御部１８０は、第１ディスプレイ部１５１’ａへのタッチ入力に基づいて第１ディスプレイ部１５１’ａを制御する。ただし、制御部１８０は、前記タッチ入力のタッチ圧力が検知されると、前記タッチ入力に基づく第１ディスプレイ部１５１’ａの制御を制限する。すなわち、制御部１８０は、前記タッチ入力のタッチ座標に基づいて第２ディスプレイ部１５１’ｂを制御する。
【０３０６】
また、図１４Ｆの（ａ）及び（ｂ）に示すように、制御部１８０は、前記タッチ入力のタッチ圧力に基づいて第１ディスプレイ部１５１’ａへのタッチ入力に対応するポインタ４０１を出力するように第２ディスプレイ部１５１’ｂを制御することができる。
【０３０７】
図１４Ｇは外部装置に接続された移動端末機の制御方法を示す概念図である。図１４Ｇの（ａ）に示すように、本実施形態による移動端末機１００は、外部装置９００と連動する。例えば、ディスプレイ部１５１の一領域に表示される動画像３２０を外部装置９００により実質的に同一に出力することができる。
【０３０８】
制御部１８０は、図１４Ｇの（ａ）及び（ｂ）に示すように、ディスプレイ部１５１へのタッチ入力により基準圧力に対応するタッチ圧力が検知されない場合、前記タッチ入力に基づいて移動端末機１００を制御する。図１４Ｇの（ａ）及び（ｃ）を参照すると、制御部１８０は、前記タッチ入力に基づいてアプリケーションを実行することができる。
【０３０９】
また、制御部１８０は、前記タッチ入力により基準圧力に対応するタッチ圧力が検知された場合、前記タッチ入力に基づいて外部装置９００を制御することができる。例えば、前記基準圧力に対応するタッチ圧力を含むタッチ入力が検知された場合、制御部１８０は、外部装置９００の画面を調整する無線信号を送信するように無線通信部１１０を制御することができる。
【０３１０】
また、図示のように外部装置９００と実質的に同一の動画像３２０がディスプレイ部１５１に出力される場合、制御部１８０は、前記タッチ入力に基づいてディスプレイ部１５１も共に制御することができる。
【０３１１】
ただし、外部装置９００と同一の画像が移動端末機１００に出力されない場合も、制御部１８０は、移動端末機１００が外部装置９００に接続されている間、タッチ圧力を含むタッチ入力により外部装置９００を制御することができる。
【０３１２】
次に、図１５はタッチ圧力に基づいて所定の機能を実行させる制御方法の一例を示す概念図である。図１５の（ａ）はメモリ１７０に保存された画像を含む画面情報３４０を出力するディスプレイ部１５１を示す。例えば、画面情報３４０は、ギャラリーアプリケーションの実行画面に対応し、１つの画像全体がディスプレイ部１５１の中央に出力され、それと共に２つの画像の一部が出力される。
【０３１３】
図１５の（ａ）及び（ｂ）を参照すると、制御部１８０は、ディスプレイ部１５１へのタッチ入力に基づいて、他の画像を中央に出力するようにディスプレイ部１５１を制御する。ここで、タッチ入力は、基準圧力未満のタッチ圧力を含む場合（タッチ圧力が検知されない場合）、タッチ圧力が検知されないドラッグ方式のタッチ入力となる。
【０３１４】
図１５の（ａ）、（ｂ）及び（ｃ）を参照すると、制御部１８０は、前記タッチ入力のタッチ圧力が検知された場合（基準圧力以上のタッチ圧力が検知された場合）、前記タッチ入力のタッチ座標に対応するコンテンツ３４１を選択する。例えば、制御部１８０は、前記タッチ圧力が検知されたときのタッチ座標に対応するコンテンツを選択する。
【０３１５】
制御部１８０は、コンテンツ３４１の選択に引き続いて行われる連続的なタッチ入力が解除される領域にコンテンツ３４１を適用して出力するようにディスプレイ部１５１を制御する。例えば、制御部１８０は、前記タッチ圧力に基づいて、前記画像からコンテンツ３４１を分離して一時保存することができる（切り取り、部分コピー）。ディスプレイ部１５１は、前記連続的なタッチ入力に基づいて、前記他の画像を出力する。制御部１８０は、前記タッチ入力が解除されると、図１５の（ｄ）に示すように、コンテンツ３４１を前記他の画像と共に出力するようにディスプレイ部１５１を制御する。
【０３１６】
制御部１８０は、コンテンツ３４１が選択されると、前記タッチ圧力が解除されても前記タッチ入力が行われる領域にコンテンツ３４１を出力するようにディスプレイ部１５１を制御することができる。
【０３１７】
すなわち、制御部１８０は、前記タッチ入力のタッチ圧力が検知されると、前記タッチ入力のタッチ座標に対応するコンテンツを一時保存し、出力位置又は保存位置を変更するように制御することができる。
【０３１８】
よって、図３Ａ及び図３Ｂをさらに参照すると、制御部１８０は、第１検知層５１４ａと第３検知層５１４ｃとを近づけるウィンドウ５１３の変形が検知された場合、前記タッチ座標に対応するコンテンツを選択して一時保存する機能を実行することができる。
【０３１９】
図１６Ａ〜図１６Ｃはタッチ圧力に基づいて様々な機能を実行させる制御方法を示す概念図である。
【０３２０】
図１６Ａの（ａ）は時間順に配列される画像フレームを含む動画像ファイルの再生画面を出力するディスプレイ部１５１を示す図である。前記再生画面は、前記動画像ファイルの出力状態を示す再生バーを含む。
【０３２１】
制御部１８０は、前記再生バーへのタッチ入力のタッチ圧力が基準圧力未満のタッチ圧力を含む場合（タッチ圧力が検知されない場合）、図１６Ａの（ａ）に示すように、前記タッチ入力のタッチ座標に基づいて前記再生バーに対応する再生画像３６１を出力するようにディスプレイ部１５１を制御する。制御部１８０は、前記タッチ座標の変更に対応して再生ポインタ３６２を移動させ、移動したタッチ入力のタッチ座標に対応する再生領域の再生画面を出力するようにディスプレイ部１５１を制御する。例えば、ディスプレイ部１５１上で「ａ」の量だけタッチ座標が変更された場合、制御部１８０は再生領域を１時間後の再生領域に変更することができる。
【０３２２】
図１６Ａの（ｂ）を参照すると、制御部１８０は、前記再生バーへのタッチ入力のタッチ圧力が検知された場合（基準圧力以上のタッチ圧力が検知された場合）、前記タッチ座標の変化に所定割合の補正が加わった補正座標に対応する再生領域の再生画面を出力し、前記再生領域に対応する位置に再生ポインタ３６２を出力するようにディスプレイ部１５１を制御する。
【０３２３】
図１６Ａの（ａ）及び（ｂ）に示すように、制御部１８０は、前記割合を前記タッチ圧力により設定することができる。例えば、前記割合は、第１タッチ圧力が検知されると１／２、第１タッチ圧力より高い第２タッチ圧力が検知されると１／３に設定することができる。よって、制御部１８０は、前記割合を１／２に設定した場合、前記「ａ」の量だけタッチ座標が変更されると再生領域を３０分後の再生領域に変更することができる。
【０３２４】
本実施形態においては再生領域の変更方法について説明したが、本実施形態による移動端末機は、実質的に同一の機能を実行する上でタッチ圧力を変化させて機能の範囲を調整することができる。例えば、手書きする（手書きで形状を出力する）場合、より大きな外力が加わってより高いタッチ圧力が検知された場合、出力される形状の太さが変更されるようにすることができる。よって、ユーザはタッチ領域の広い指であっても機能を微細に調整したり画像を形成することができる。
【０３２５】
次に、図１６Ｂの（ａ）はウェブページ３７０を出力するディスプレイ部１５１を示す図である。ウェブページ３７０は、下位情報３７２を含む少なくとも１つのコンテンツ３７１を含む。制御部１８０は、コンテンツ３７１へのタッチ入力のタッチ圧力が基準圧力未満のタッチ圧力を含む場合（タッチ圧力が検知されない場合）、図１６Ｂの（ｂ）に示すように、下位情報３７２を出力するようにディスプレイ部１５１を制御する。
【０３２６】
下位情報３７２は、ハイパーリンク情報を含み、前記ハイパーリンクにより他の画面情報を提供する。制御部１８０は、下位情報３７２へのタッチ入力のタッチ圧力が検知された場合（基準圧力以上のタッチ圧力が検知された場合）、図１６Ｂの（ｃ）に示すように、下位情報３７２に接続された他の情報３７３を出力するようにディスプレイ部１５１を制御する。
【０３２７】
図１６Ｃはタッチ入力に基づいてカメラ１２１の機能を制御する制御方法を示す概念図である。制御部１８０は、カメラ１２１がアクティブになると、図１６Ｃの（ａ）に示すように、プレビュー画像を出力するようにディスプレイ部１５１を制御する。
【０３２８】
制御部１８０は、ディスプレイ部１５１へのタッチ入力のタッチ圧力が基準圧力未満のタッチ圧力を含む場合（タッチ圧力が検知されない場合）、図１６Ｃの（ｂ）に示すように、前記タッチ入力のタッチ座標に対応する被写体に焦点を合わせるようにカメラ１２１を制御する。前記タッチ入力のタッチ圧力が基準圧力以上の場合、図１６Ｃの（ｃ）に示すように画像が撮影される。
【０３２９】
すなわち、図１６Ａ〜図１６Ｃ及び図３Ａを参照すると、制御部１８０は、第１検知層５１４ａと第３検知層５１４ｃとを近づけるウィンドウ５１３の変形が検知された場合、実質的に同一のタッチ座標上で区別される機能を実行したり、実質的に同一の機能を異なる範囲で実行することができる。
【０３３０】
また、制御部１８０は、前記タッチ入力のタッチ圧力が検知された場合、図１６Ｃの（ｃ）に示すように、前記プレビュー画像を画像化する（すなわち、撮影する）ようにカメラ１２１を制御する。同図においては、撮影を制御するアイコンが出力されるが、本実施形態によれば、前記撮影を制御するグラフィック画像がなくてもよい。
【０３３１】
次に、図１７はタッチ座標の検知及びタッチ圧力の検知による制御方法を示す概念図である。
【０３３２】
図１７の（ａ）及び（ｂ）を参照すると、ディスプレイ部１５１に地図画面３００が出力されている状態で、タッチ入力が行われたがタッチ圧力は検知されない場合、前記タッチ入力のタッチ座標に対応する領域の拡大画像３０５を出力するようにディスプレイ部１５１を制御する。
【０３３３】
制御部１８０は、前記タッチ入力のタッチ圧力が検知された場合、図１７の（ｄ）に示すように、前記タッチ座標に対応する関連情報３００’を出力するようにディスプレイ部１５１を制御する。よって、ユーザは選択する画像のサイズが小さい場合、タッチ入力により選択する領域を予め確認することができる。
【０３３４】
また、図１７の（ａ）及び（ｃ）を参照すると、制御部１８０は、検知されたタッチ入力のタッチ圧力が基準圧力未満のタッチ圧力を含む場合（タッチ圧力が検知されない場合）、前記タッチ入力のタッチ座標に対応する領域にカーソル３０５’を出力するようにディスプレイ部１５１を制御する。よって、ユーザはタッチ圧力を加えた場合に選択される画像を確認することができる。
【０３３５】
図１８Ａ〜図１８Ｃはタッチ検知部によるタッチ座標の検知が制限された場合の制御方法を示すフローチャート及び概念図である。
【０３３６】
図１８Ａを参照すると、タッチ検知部５１４は、ユーザのタッチ入力を検知する（Ｓ１０）。制御部１８０は、前記タッチ入力のタッチ座標を検知する（Ｓ２０）。制御部１８０は、前記タッチ座標が検知された場合、前記タッチ座標の座標点のタッチ圧力を検知する（Ｓ３２）。制御部１８０は、前記タッチ座標の座標点に基づいて前記タッチ圧力を補償することができる。制御部１８０は、前記タッチ座標及び前記タッチ圧力に基づく制御命令を生成する（Ｓ５０）。
【０３３７】
また、制御部１８０は、前記タッチ座標が検知されない場合、前記タッチ圧力を検知し（Ｓ３１）、前記タッチ圧力に基づいて所定の制御命令を生成する（Ｓ５２）。
【０３３８】
例えば、前記タッチ座標が検知されないのは、ディスプレイ部１５１上に電気が通る水などの液体がついているケースなどである。
【０３３９】
よって、ディスプレイ部１５１上に複数のアイコンが出力されており、前記タッチ座標の検知が制限されている場合、ディスプレイ部１５１上のタッチ入力が行われた領域に関係なく所定の機能を活性化することができる。ただし、この場合も、前記タッチ圧力によって異なる機能を実行することができる。
【０３４０】
図１８Ｂはタッチ座標が検知されない場合の音声着信を示す図である。図１８Ｂの（ｂ）に示すように、ディスプレイ部１５１は、音声着信があると着信画面を出力し、前記着信画面は音声着信に応答するために連続的なタッチ入力を受信するアイコンを含む。
【０３４１】
ただし、制御部１８０は、前記タッチ入力によりタッチ座標が検知されない場合、前記タッチ入力のタッチ圧力を検知するようにタッチ検知部５１４を制御する。つまり、図１８Ｂの（ｂ）に示すように、制御部１８０は、所定の基準圧力以上のタッチ圧力が検知されると、前記音声着信に応答できるようにする。
【０３４２】
ここで、タッチ圧力を含むタッチ入力は、ディスプレイ部１５１のどの領域に行われてもよい。すなわち、タッチ圧力を含むタッチ入力は、前記音声着信に応答するためのアイコン上に行われてもよく、その他の領域に行われてもよい。
【０３４３】
これにより、ディスプレイ部１５１上の汚染物質によりタッチ座標が検知されない場合も、タッチ圧力に基づいて必要な機能を制御することができる。
【０３４４】
図１８Ｃは移動端末機が水中に位置する場合におけるタッチ圧力に基づく制御方法を説明するための概念図である。制御部１８０は、移動端末機が水中に位置する場合、図１８Ｃの（ａ）に示すように、タッチ入力のタッチ座標を検知する機能を制限し、前記タッチ入力のタッチ圧力を受信するようにディスプレイ部１５１を制御する。
【０３４５】
制御部１８０は、ディスプレイ部１５１へのタッチ入力のタッチ圧力に基づいて所定の機能を実行する。例えば、制御部１８０は、図１８Ｃの（ｂ）に示すように、所定の圧力範囲のタッチ圧力が検知された場合、カメラをアクティブにする。同図においては、アイコンにタッチ入力が行われる場合を示すが、ディスプレイ部１５１の一領域へのタッチ入力によってもカメラ機能を活性化することができる。
【０３４６】
ただし、他の範囲のタッチ圧力が検知された場合、制御部１８０は、他の機能を活性化することができる。
【０３４７】
制御部１８０は、前記カメラ機能が実行されて撮影アプリケーションがアクティブになると、前記タッチ圧力に対応するアプリケーションの所定の機能を実行する。例えば、制御部１８０は、第１タッチ圧力が検知された場合、焦点を合わせるように前記カメラを制御し、第２タッチ圧力が検知された場合、前記画像を取得するように前記カメラを制御するようにしてもよい。
【０３４８】
これにより、図１８Ｃの（ｃ）に示すように、ユーザはタッチ座標が検知されない水中でもタッチ圧力を加えて前記移動端末機を制御することができる。
【０３４９】
本発明は、本明細書に説明されたそれぞれの実施形態及び例の様々な変形を含む。本発明によれば、前述した一実施形態又は例の１つ以上の特徴は前述した他の実施形態又は例にも同様に適用することができる。前述した１つ以上の実施形態又は例の特徴は前述した各実施形態又は例と組み合わせることができる。本発明の１つ以上の実施形態又は例の全部又は一部の組み合わせも本発明に含まれるものである。
【０３５０】
本発明は、その思想や基本的特性から外れない範囲で様々な形態で実現可能であるので、前述した実施形態は前述したいかなる詳細な記載内容によっても限定されず、特に断らない限り、添付の特許請求の範囲に定義された思想や範囲内で広く解釈されるべきであり、よって、特許請求の範囲に属するあらゆる変更及び変形又はその均等物も本発明に含まれるものである。
【符号の説明】
【０３５１】
１５１    タッチディスプレイ部
１８０    制御部
５１１、５２１、５３１、５４１、５５１、５６１、５７１、５８１、５９１    ディスプレイパネル
５１２、５２２、５３２、５４２、５５２、５６２、５７２    変形領域
６１０    フレキシブルディスプレイパネル
【図１Ａ】
2015204098.tif 000003
【図１Ｂ】
2015204098.tif 000004
【図１Ｃ】
2015204098.tif 000005
【図１Ｄ】
2015204098.tif 000006
【図２】
2015204098.tif 000007
【図３Ａ】
2015204098.tif 000008
【図３Ｂ】
2015204098.tif 000009
【図４】
2015204098.tif 000010
【図５Ａ】
2015204098.tif 000011
【図５Ｂ】
2015204098.tif 000012
【図６Ａ】
2015204098.tif 000013
【図６Ｂ】
2015204098.tif 000014
【図７】
2015204098.tif 000015
【図８Ａ】
2015204098.tif 000016
【図８Ｂ】
2015204098.tif 000017
【図９Ａ】
2015204098.tif 000018
【図９Ｂ】
2015204098.tif 000019
【図１０Ａ】
2015204098.tif 000020
【図１０Ｂ】
2015204098.tif 000021
【図１１】
2015204098.tif 000022
【図１２Ａ】
2015204098.tif 000023
【図１２Ｂ】
2015204098.tif 000024
【図１３Ａ】
2015204098.tif 000025
【図１３Ｂ】
2015204098.tif 000026
【図１３Ｃ】
2015204098.tif 000027
【図１３Ｄ】
2015204098.tif 000028
【図１３Ｅ】
2015204098.tif 000029
【図１３Ｆ】
2015204098.tif 000030
【図１４Ａ】
2015204098.tif 000031
【図１４Ｂ】
2015204098.tif 000032
【図１４Ｃ】
2015204098.tif 000033
【図１４Ｄ】
2015204098.tif 000034
【図１４Ｅ】
2015204098.tif 000035
【図１４Ｆ】
2015204098.tif 000036
【図１４Ｇ】
2015204098.tif 000037
【図１５】
2015204098.tif 000038
【図１６Ａ】
2015204098.tif 000039
【図１６Ｂ】
2015204098.tif 000040
【図１６Ｃ】
2015204098.tif 000041
【図１７】
2015204098.tif 000042
【図１８Ａ】
2015204098.tif 000043
【図１８Ｂ】
2015204098.tif 000044
【図１８Ｃ】
2015204098.tif 000045